(57)【要約】【課題】顔に装着し使用してもずれないマスクを提供する。【解決手段】上下方向に広がることが可能なプリーツが形成されたマスク本体１と、マスク本体１を顔に装着できるようにマスク本体１の左右の側端縁部に装着紐２を備えたプリーツマスク９０において、マスク本体１の内側を通る固定紐３と、マスク本体１の上側の左右の角部付近に、固定紐３に引っ掛かる紐引掛り部６とを有し、固定紐３に左右の紐引掛り部６が引っ掛かったことを特徴とする。【選択図】図１
2020084339.tif 000002
【特許請求の範囲】
【請求項１】
上下方向に広がることが可能なプリーツが形成されたマスク本体と、
前記マスク本体を顔に装着できるように前記マスク本体の左右の側端縁部に装着紐を備えたプリーツマスクにおいて、
前記マスク本体の内側を通る固定紐と、
前記マスク本体の上縁側の左右の角部付近に、前記固定紐に引っ掛かる紐引掛り部とを有し、
前記固定紐に左右の前記紐引掛り部が引っ掛かった
ことを特徴とするずれ防止マスク。
【請求項２】
前記固定紐の中央部を略Ｕ字状の棒又は管からなる前フレームにした
ことを特徴とする請求項１記載のずれ防止マスク。
【請求項３】
請求項１記載のずれ防止マスクにおいて、
前記固定紐に代えて、前記マスク本体の内側又は外側を通る略Ｕ字状の棒又は管からなる固定フレームを備え、
前記固定フレームの両端には、耳に掛ける耳掛け部を設け、
前記固定フレームに左右の前記紐引掛り部が引っ掛かった
ことを特徴とするずれ防止マスク。
【請求項４】
前記マスク本体は、内側上縁よりの中央部分に引掛け部を備え、
前記引掛け部は、前記マスク本体を顔に装着した際に、鼻尖付近に引っ掛けて前記マスク本体が上側にずれなくするものであり、
前記引掛け部に、前記固定紐の中央を取付けた
ことを特徴とする請求項１記載のずれ防止マスク。
【発明の詳細な説明】
【技術分野】
【０００１】
本発明は、顔に装着し使用してもずれないマスクに関するものである。
【背景技術】
【０００２】
顔に装着するマスクにおいて、装着したマスクがずれ難いものが提案されており、概略は以下の内容であった。
特許文献１に示すように、マスクの側端部の上端と下端に取付けた紐を両側に設け、一方の紐を中部と上端との間では後頭部に掛け、中部と下端との間では首部に掛け、紐の中部をマスクの反対側の紐を掛止めする掛止部材に掛止めしている。他方の紐も、同様に後頭部に掛け、首部に掛け、掛止部材に掛止めしている。２つの紐は、後頭部と首部で、それぞれ交差した状態になっている。
この提案は、後頭部と首部に掛けている上端側と下端側の紐の長さと引っ張り強さのバランス調整が容易ではなく、調整が不十分な状態で使用すると、マスクがずれてしまう問題があった。
【先行技術文献】
【特許文献】
【０００３】
【特許文献１】特開  ２０１６−４９１５５
【発明の概要】
【発明が解決しようとする課題】
【０００４】
これには次のような欠点があった。
従来の特許文献１の発明は、マスクを顔に装着するための紐を、紐の中部から上端側と下端側に分けて後頭部と首部に掛けて、マスクを固定している。その紐の中部では、摺動可能な掛止部材に紐を掛止するようになっているが、１本の紐の上端側と下端側の長さと引張力のバランスを自動で最適調整することはできず、紐を掛止した感触を頼りにバランスを判断し、紐を掛止めするしかなかったので、紐のバランスの調整は容易ではなかった。また、マスクがずれ難くするために、上端側と下端側の紐の引張力を強くすれば、締め付けによる不快感が増していた。さらに、紐の上端側の引張力が弱ければ、後頭部に掛けた紐がずれやすくなり、マスクがずれる原因となっていた。
特許文献１の発明の構成は、１本の紐の上端側と下端側を中部の掛止部材で掛止し支えていると同時に、その掛止部材近くに反対側の掛止部材に掛止する紐が取付けられており、掛止部材では３方の引張力が１点に集中することで、マスクの上端部では、左右の掛止部材又は掛止部材の取付け付近を引張るかたちとなり、マスクの上端部にノーズピースを設け屈曲させて鼻上部付近とマスクの隙間を無くしメガネの曇りを防止しても、掛止部材に掛止した紐の引張力が強くなると、ノーズピースの屈曲部分が伸びて隙間ができ密着度を下げ、口元の加湿が漏れメガネを曇らす原因となっていた。
【課題を解決するための手段】
【０００５】
上記の課題を解決する本発明は、以下構成を有する。
なお、本願でいう「鼻の下の付け根」は、鼻と上口唇の境の凹部を意味する。「耳の上の耳付け根」は、耳上部の耳と頭部の境の凹部を意味する。「マスク本体の内側」は、マスク本体の顔に接する側を意味する。「マスク本体の外側」は、マスク本体の顔に接しない側を意味する。
【０００６】
請求項１記載の発明であるずれ防止マスクは、上下方向に広がることが可能なプリーツが形成されたマスク本体と、マスク本体を顔に装着できるようにマスク本体の左右の側端縁部に装着紐を備えたプリーツマスクにおいて、マスク本体の内側を通る固定紐と、マスク本体の上縁側の左右の角部付近に、固定紐に引っ掛かる紐引掛り部とを有し、固定紐に左右の紐引掛り部が引っ掛かったことを特徴とする。
上記構成の発明において、固定紐は、左側の耳の上の耳付け根、マスク本体の左側の紐引掛り部、鼻の下の付け根、マスク本体の右側の紐引掛り部、右側の耳の上の耳付け根をそれぞれ通り、頭部の後ろで結んで頭部に取付け固定する。固定紐の通る順は逆でも良い。固定紐を、頭部の後ろで取付け固定するその他の例は、後述する実施形態で説明する。
請求項１記載の発明の固定紐を頭部に固定する位置は、顎及び首を動かしても、ほとんど動かない位置に取付け固定しており、しかも、鼻の下の付け根に下から上に掛けた状態、耳の上の耳付け根に上から下に掛けた状態なので、ほとんど動かない状態を維持することができる。くしゃみ、あくび、咳、会話等で、大きく顎が動いても、ほとんどずれには影響しない。また、固定紐は、皮脂や汗が出ていても滑ったりずれたりすることはない。頭部に固定された固定紐は、手で上下に動かそうとしても容易に動くものではない。
請求項１記載の発明の左右の紐引掛り部は、頭部に取付けると動くことがない固定紐に引っ掛かっていることで、プリーツ加工のマスク本体の紐引掛り部より上側は、下に動くことができない。そのため、顎及び首を動かしても、マスク本体の上部は、顔に取付けた装着当初の位置を維持することができる。
市販のマスクは、顔に装着し、くしゃみ、あくび、会話等をすると、その顎の動きにマスク本体が引張られてずれてしまうが、請求項１記載の発明は、固定紐が紐引掛り部を下に動かないように固定しているので、マスク本体の上部は下に動くことは無く、マスク本体の下部は、プリーツ加工により顎に合わせて上下するが、口を閉じれば、装着紐がマスク本体の下部を引き付けて元の位置に戻る。
市販のマスクの装着紐の引張力は、装着したマスク本体が顔から離れず落ちない働きをしていたが、請求項１記載の発明の装着紐は、主に顔にマスク本体を引き付けて離れない働きを役目とし、固定紐と紐引掛り部は、主にマスク本体のずれを防止する働きを役目としている。そのため、装着紐にずれを防止するための引張力は必要としないので、その分だけ引張力を弱くすることができ、耳掛けした場合の痛みを軽減することができる。固定紐は、頭部の後ろで結んだ結び目が自然に解けないようにしっかり結ぶことができ、使用後は結び目を解くことができる紐の伸縮があればよく、伸縮が小さい紐又はほとんど伸縮しにくい紐で、頭部に圧迫せずに取付けるので、皮膚に食い込むような引張力は必要としない。
請求項１記載の発明の固定紐は、マスク本体を装着した内側では、顔面に沿って取付けられるので、マスク本体と顔の密着度を下げることはない。また、マスク本体のドーム型は潰れたり更に膨らんだりすることはなく本来の膨らみを維持することができ、請求項１記載の発明の装着による圧迫感を感じることはない。
【０００７】
請求項２記載の発明であるずれ防止マスクは、請求項１記載の発明において、固定紐の中央部を略Ｕ字状の棒又は管からなる前フレームにしたことを特徴とする。
上記構成の請求項２記載の発明は、請求項１記載の発明と同様の作用に加え、前フレームは、前フレームを鼻の下の付け根の位置に掛けた状態で使用するもので、そのために、顔の側面に位置する前フレームの両側を持って誘導することが容易にできるようになった。
請求項２記載の発明のマスク本体の内側を通る前フレームは、マスク本体の覆い部よりも小さく、顔の輪郭に沿う形の前フレームであるため、マスク本体と顔の密着度を下げることはない。また、マスク本体のドーム型の膨らみを維持することができ、請求項２記載の発明の装着による圧迫感を感じることはない。
【０００８】
請求項３記載の発明であるずれ防止マスクは、請求項１記載の発明において、固定紐に代えて、マスク本体の内側又は外側を通る略Ｕ字状の棒又は管からなる固定フレームを備え、固定フレームの両端には、耳に掛ける耳掛け部を設け、固定フレームに左右の紐引掛り部が引っ掛かったことを特徴とする。
上記構成の請求項３記載の発明は、請求項１記載の発明と同様の作用に加え、固定フレームは、鼻背に掛け、左右の耳掛け部を耳に掛けて顔に取付ける。固定フレームは、マスク本体の内側又は外側を通して、顔に取付けることができる。固定フレームは、顔の側面に位置する固定フレームの両側を持って、固定フレームの中央を鼻背の位置に誘導することが容易となり、固定フレームの脱着も簡便にしたものである。
請求項３記載の発明の固定フレームは、鼻背と耳に掛けて固定しているので、くしゃみ、あくび、咳、会話等で、大きく顎が動いても、ほとんど影響せず、下にずれることはない。
請求項３記載の発明の左右の紐引掛り部は、鼻と耳の間の固定フレームに、引っ掛かっていることで、プリーツ加工のマスク本体の紐引掛り部より上側は、下に動くことができない。そのため、マスク本体の上部は、顔に取付けた装着当初の位置を維持することができる。マスク本体の下部は、プリーツ加工により顎に合わせて上下するが、口を閉じれば、装着紐がマスク本体の下部を引き付けて元の位置に戻る。
市販のマスクの装着紐の引張力は、装着したマスク本体が顔から離れず落ちない働きをしていたが、請求項３記載の発明の装着紐は、主に顔にマスク本体を引き付けて離れない働きを役目とし、固定フレームと紐引掛り部は、主にマスク本体のずれを防止する働きを役目としている。そのため、装着紐にずれを防止するための引張力は必要としないので、その分だけ引張力を弱くすることができ、耳掛けした場合の痛みを軽減することができる。固定フレームは、耳及び鼻背に掛けて取付けるので、皮膚に食い込み痛みを感じることは少ない。
マスク本体の内側を通る固定フレームは、マスク本体の覆い部よりも小さく、顔の輪郭近くを通るため、マスク本体のドーム型は潰れたり更に膨らんだりすることはなく本来の膨らみを維持することができる。また、マスク本体の外側を通る固定フレームは、マスク本体の中央部の膨らみのある位置を通らずマスク本体の上部を通るため、マスク本体のドーム型はほとんど潰れることはなく本来の膨らみを維持することができる。そのため、マスク本体と顔の密着度を下げることはない。また、請求項３記載の発明の装着による圧迫感を感じることはない。
【０００９】
請求項４記載の発明であるずれ防止マスクは、請求項１記載の発明において、マスク本体は、内側上縁よりの中央部分に引掛け部を備え、引掛け部は、マスク本体を顔に装着した際に、鼻尖付近に引っ掛けてマスク本体が上側にずれなくするものであり、引掛け部に、固定紐の中央を取付けたことを特徴とする。
上記構成の請求項４記載の発明は、請求項１記載の発明と同様の作用に加え、固定紐は、左側の耳の上の耳付け根、マスク本体の左側の紐引掛り部、引掛け部、マスク本体の右側の紐引掛り部、右側の耳の上の耳付け根をそれぞれ通り、頭部の後ろで結んで頭部に固定する。通る順は逆でも良い。
請求項４記載の発明の引掛け部は、鼻尖付近に引っ掛け、引掛け部に取付けた固定紐を頭部に取付け固定する。
請求項４記載の発明の固定紐を頭部に固定する位置は、顎及び首を動かしても、ほとんど動かない位置に取付け固定しており、しかも、鼻尖付近に上向きに引っ掛けた引掛け部と、耳の上の耳付け根に上から下に掛けた状態なので、ほとんど動かない状態を維持することができる。そのため、くしゃみ、あくび、咳、会話等で、大きく顎が動いても、ほとんどずれに影響することはない。また、固定紐は、皮脂や汗が出ていても滑ったりずれたりすることはない。
請求項４記載の発明は、固定紐が紐引掛り部を下に動かないように固定しているので、マスク本体の上部は下に動くことは無く、マスク本体の下部は、プリーツ加工により顎に合わせて上下するが、口を閉じれば、装着紐がマスク本体の下部を引き付けて元の位置に戻る。
請求項４記載の発明は、マスク本体の中央に引掛け部を設けることで、マスク本体の外側から引掛け部を持って、引掛け部を鼻尖又は外鼻孔の取付け位置に誘導できる。
請求項４記載の発明の固定紐は、鼻尖又は外鼻孔に引っ掛けた引掛け部を通り、顔面に沿って取付けられるので、マスク本体のドーム型は潰れたり更に膨らんだりすることはなく本来の膨らみを維持することができ、請求項４記載の発明の装着による圧迫感を感じることはない。
本発明は、以上の構成よりなる。
【発明の効果】
【００１０】
請求項１記載の発明は、長時間装着し、皮脂や汗が出て滑りやすい状態になった上に、くしゃみやあくびや会話など、顎を大きく動かしたとしても、固定紐がマスク本体の上部のずれを防止し、プリーツ構造と装着紐の引き付けにより、マスク本体の下部は、顎に合わせて上下運動し、口を閉じれば元の状態に戻り、マスク本体がずれること無く、装着当初の取付け位置を維持し続けることができるようになった。そのため、マスク本体の動きに違和感を感じることがなくなり、集中力を低下することもなく作業を続けることができるようになった。
また、請求項１記載の発明の固定紐と装着紐は別々の紐であるため、特許文献１の発明のように、１本の紐を上端と下端に分け、上下の紐の長さや引張力のバランス調整をする必要がないので、マスク本体がずれたり、紐の締め付けの強弱による不快を感じることはない。
請求項１記載の発明の紐引掛り部は、固定紐に引っ掛かっているだけで固定紐の上を動くことでき、マスク本体の上端部を左右に引張ることは無いため、マスク本体の上端部が左右に伸びて隙間ができることはないので、マスク本体の上端部から口元の加湿が漏れメガネを曇らせることはない。
請求項１記載の発明の固定紐は、マスク本体のずれを防止することができるため、装着紐に、ずれを防ぐための引張力は必要としないので、その分だけ装着紐の引張力を弱くすることができ、装着紐を耳掛けした場合の痛みを軽減することができる。固定紐は、頭部に取付けても、引張力による皮膚に食い込むことは無いので、それによる痛みを感じることは無い。
請求項１記載の発明の用途は、例えば、食品を扱う職場や医療施設で、請求項１記載の発明を装着し、マスク本体のずれがなくなると、ずれを直すために不注意にマスク本体に触ることもなくなり、衛生面でも改善できた。また、ウィルスや菌などに感染している患者に、請求項１記載の発明を用いることで、マスク本体のずれがなくなると、ずれによる違和感がなくなり、マスク本体に触れ接触感染の機会も減るため、マスク本体に付着したウィルスや菌などが、手を通して感染拡散することが少なくなる。
【００１１】
請求項２記載の発明は、請求項１記載の発明の効果に加え、顔の側面に位置する前フレームの両側を持って、前フレームの中央を鼻の下の付け根の位置に誘導することが容易となった。
【００１２】
請求項３記載の発明は、顔に取付けた固定フレームに、紐引掛り部が引っ掛かることで、マスク本体が下にずれることを防止することができる。
請求項３記載の発明は、顔の側面に位置する固定フレームの両側を持って、固定フレームの中央を鼻背の位置に誘導することが容易となり、固定フレームの脱着も簡便となった。
【００１３】
請求項４記載の発明は、請求項１記載の発明の効果に加え、マスク本体の中央に引掛け部を設けることで、マスク本体の外側から引掛け部を持って、引掛け部を鼻尖又は外鼻孔の取付け位置に誘導することができる。
【図面の簡単な説明】
【００１４】
【図１】本発明の実施形態１に係るずれ防止マスクを顔に接する側から見た斜視図である。
【図２】図１のずれ防止マスクを顔に装着した図である。
【図３】本発明の実施形態１に係るずれ防止マスクの紐引掛り部の変形例の説明図である。
【図４】本発明の実施形態１に係るずれ防止マスクの固定紐の取付け変形例の説明図である。
【図５】本発明の実施形態１に係るずれ防止マスクの紐止部の変形例の説明図である。
【図６】本発明の実施形態１に係るずれ防止マスクに誘導部を設けた時の下から上方向に見た説明図である。
【図７】本発明の実施形態１に係るずれ防止マスクの誘導部の変形例を下から上方向に見た説明図である。
【図８】本発明の実施形態２に係るずれ防止マスクを顔に装着した図である。
【図９】本発明の実施形態２に係るずれ防止マスクの固定紐と前フレームの変形例の説明図である。
【図１０】本発明の実施形態３に係るずれ防止マスクを顔に装着した図である。
【図１１】本発明の実施形態３に係るずれ防止マスクの変形例を顔に装着した図である。
【図１２】本発明の実施形態３に係るずれ防止マスクの変形例を顔に装着した図である。
【図１３】本発明の実施形態３に係るずれ防止マスクの変形例を顔に装着した図である。
【図１４】本発明の実施形態４に係るずれ防止マスクを顔に接する側から見た斜視図である。
【図１５】本発明の実施形態４に係るずれ防止マスクの変形例を顔に接する側から見た斜視図である。
【発明を実施するための形態】
【００１５】
次に、本発明の実施形態に係るずれ防止マスクについて、図面を参照して説明する。なお、以下に記載される実施形態は、本発明を説明するための例示であり、本発明をこれらの実施形態にのみ限定するものではない。
【００１６】
（実施形態１）
以下に、本発明の実施形態１に係るずれ防止マスクについて、図１〜図７を参照しながら詳細に説明する。
【００１７】
図１は、本発明の実施形態１に係るずれ防止マスクを顔に接する側から見た斜視図、図２は、図１のずれ防止マスクを顔に装着した図、図３は、本発明の実施形態１に係るずれ防止マスクの紐引掛り部の変形例の説明図、図４は、本発明の実施形態１に係るずれ防止マスクの固定紐の取付け変形例の説明図、図５は、本発明の実施形態１に係るずれ防止マスクの紐止部の変形例の説明図、図６は、本発明の実施形態１に係るずれ防止マスクに誘導部を設けた時の下から上方向に見た説明図、図７は、本発明の実施形態１に係るずれ防止マスクの誘導部の変形例を下から上方向に見た説明図である。
【００１８】
実施形態１に係るずれ防止マスク１００は、図１に示すように、上下方向に広がることが可能なプリーツが形成された不織布のマスク本体１に、マスク本体１を顔に装着できるように、マスク本体１の左右の側端縁部に耳掛けできる装着紐２を備えたプリーツマスク９０において、マスク本体１の内側を通る固定紐３と、マスク本体１の上縁側の左右の角部付近に、固定紐３を通す紐引掛り部６として穴８ａを設け、固定紐３を左右の穴８ａに通す。固定紐３を穴８ａに通すことで、固定紐３に穴８ａが引っ掛かる。
【００１９】
ずれ防止マスク１００を、顔に装着する場合は、装着紐２を左右の耳にそれぞれ掛けてマスク本体１を顔に取付け、固定紐３は、中央部を鼻の下の付け根に下から上に掛け、左右の耳の上の耳付け根の上を通り、頭部の後ろで結んで頭部に取付ける。装着紐２と固定紐３の取付け順は特にない。
【００２０】
ずれ防止マスク１００の固定紐３は、図２に示すように、鼻の下の付け根に下から上に掛け、左右の耳の上の耳付け根に上から下に掛けた状態で、頭部の後ろで結んで頭部に取付け固定する。そのため、顎及び首を動かしても、ほとんど動かない位置に固定することができ、固定紐３が引張られたりすることはなく、安定した状態で頭部に取付けることができる。
【００２１】
ずれ防止マスク１００は、頭部に取付け固定されている固定紐３を、紐引掛り部６である穴８ａに通すことで、穴８ａが固定紐３に引っ掛かった状態となり、穴８ａは上下方向に動くことができない。そのため、穴８ａを設けたマスク本体１の上部は、ずれることなく装着当初の位置を維持することができる。固定紐３に引っ掛かった穴８ａの前方向の動きは、前方（顔から離れる方向）に出ようとすると、装着紐２に引き寄せられ、前方向に動くことはできない。
【００２２】
ずれ防止マスク１００のマスク本体１は、顎が上下運動すると、上下方向に広がるプリーツ加工なので、マスク本体１の上部は上下に動かず、マスク本体１の下部は顎に合わせて上下運動をすることができる。勿論、顎が上に戻れば、マスク本体１の下部は、装着紐２により引き寄せられ、装着当初の元の位置に戻り、マスク本体１がずれることはない。
【００２３】
ずれ防止マスク１００の固定紐３は、伸縮が小さい紐又はほとんど伸縮しにくい紐が好ましく、取付けた頭部からずれないように結べばいいので、皮膚に食い込むような絞め方は必要ない。但し、固定紐３は、頭部に結んだ結び目が自然に解けないようにしっかり結ぶことができ、使用後は結び目を解くことができる紐の伸縮は必要である。固定紐３は、マスク本体１の内側では、顔面に沿って取付けるので、マスク本体１のドーム型は潰れたり更に膨らんだりすることはない。
【００２４】
ずれ防止マスク１００の固定紐３に、ゴムやポリウレタン繊維などの伸縮の大きい素材を用いると、鼻や耳に掛けた場所を伸縮により圧迫したり、皮膚に食い込んだり、一時的にマスク本体１がずれたりすることがあるので、あまり好ましくはない。固定紐３は、皮膚に食い込むような絞め力は必要なく、圧迫せずに頭部に取付ければよい。固定紐３の素材としては、具体的には、例えば、綿、麻、絹、リヨセル繊維、レーヨン繊維、キュプラ繊維、ポリノジック繊維、アセテート繊維、トリアセテート繊維、プロミックス繊維、ナイロン繊維、ビニロン繊維、ポリ塩化ビニール繊維、ポリエステル繊維、アクリル繊維、ポリエチレン繊維、ポリプロピレン繊維等が挙げられる。また、固定紐３は、異種紐を組み合わせた紐、異種繊維を混合した複合糸からなる紐又は不織布からなる紐などを用いてもよい。但し、異種紐を組み合わせた紐、異種繊維を混合した複合糸からなる紐によっては、伸縮の大きいポリウレタン繊維などの素材であっても、伸縮を小さくすることができれば、固定紐３として用いてもよい。固定紐３は、伸縮が小さい紐又はほとんど伸縮しにくい紐であればよく、これらの素材に限定されるものではない。ずれ防止マスク１００の固定紐３は、綿の平紐を用いた例である。
【００２５】
ずれ防止マスク１００の紐引掛り部６である穴８ａは、固定紐３を通すと抵抗がある穴サイズにすると、固定紐３が使用前から自然に抜け難くなると共に穴との隙間が無くなり気密性を高める。マスク本体１は、ほつれず、強度又は伸びに方向性を持たない不織布なので、使い続けても穴８ａの穴サイズが大きくなることはない。また、固定紐３が通る緩めの穴サイズの穴８ａであれば、固定紐３が装着前に紐引掛り部６である穴８ａから抜けない対策として、後述する固定紐３に紐止部４などを設けるとよい。固定紐３が穴８ａを通った後のマスク本体１の外側と接する部分では、固定紐３と顔にマスク本体１が軽く挟まれた状態となっているため、マスク本体１と顔の密着度を下げることはない。穴８ａは複数設けて固定紐３を通してもよい。また、図示はしないが、穴８ａを用いた紐引掛り部６の変形例では、マスク本体１が積層マスクの場合、マスク本体１の上縁側の角部付近の内側のフィルターに穴を設け固定紐３を通し、フィルターとフィルターの間を少し端部方向へ通した先に、内側又は外側のフィルターに穴を設け、その穴から固定紐３を積層マスクの外に出してもよい。さらに、図示はしないが、左右の紐引掛り部６の穴８ａに固定紐３を通した後に、一方の穴８ａを縫合や溶着により閉じて固定紐３を紐引掛り部６に固定してもよい。この場合、固定紐３が固定されている側の装着紐２を耳に掛けて、他方の固定紐３の端を片手で扱っても、固定紐３の中央の位置がずれたりしないのでよい。
【００２６】
ずれ防止マスク１００の紐引掛り部６のその他の変形例として、図３（ａ）に示すように、マスク本体１の内側の上側の両角部に、角部の形に合わせて三角形のマスク本体１と同素材の不織布片９を溶着１４ａで取付け、マスク本体１と不織布片９の間に紐が通る隙間を設け固定紐３を通したものである。また、図３（ｂ）に示すように、マスク本体１の内側の上側の両角部に、帯状の不織布片９を輪にし両端を溶着１４ａで取付け、不織布片９の輪に固定紐３を通したものである。不織布片９をマスク本体１に取付けるその他の方法としては、例えば、縫合、両面接着テープ、接着剤等が考えられる。さらに、図３（ｃ）に示すように、マスク本体１の内側の上側の両角部に、角部の形に合わせて三角形のクッションシート材２７を、両面接着体２８の両面接着テープで取付け、マスク本体１とクッションシート材２７の間に隙間を設け固定紐３を通したものである。クッションシート材２７に穴を設けその穴の中に固定紐３を通してもよい。クッションシート材２７は、マスク本体１の中央に近い辺になるほど薄くなっている。クッションシート材２７は、柔軟性と反発性を持つもので、顔とマスク本体１の間にフィットすることができ、粉塵を遮断できるものである。素材として、例えば、ポリエチレン発泡体、ウレタン発泡体、天然ゴム発泡体、合成ゴム発泡体等が挙げられる。クッションシート材２７は、マスク本体１の上縁の一部に取付けることになるが、鼻とマスク本体１の間から呼気が漏れる又は粉塵が侵入することを防止するために、マスク本体１の鼻周辺の上縁部に取付けるものではなく、マスク本体１の上側の両角部が、固定紐３に引っ掛かることでマスク本体１の動きを止めるために、マスク本体１の上側の両角部に取付けるものである。クッションシート材２７をマスク本体１に取付けるその他の方法としては、例えば、縫合、溶着、接着剤等が考えられる。上側の両角部に不織布片９やクッションシート材２７を取付けたが、マスク本体１に取付けて固定紐３に引っ掛かることができるものであればいいので、素材や形を限定するものではない。なお、図３は、紐引掛り部６の説明であり装着紐２の描画を省略する。
【００２７】
プリーツマスク９０は、上下方向に広がることが可能なプリーツが形成されたマスク本体１と、マスク本体１を顔に装着できるようにマスク本体１の左右の側端縁部に装着紐２を備えたものであればよい。マスク本体１は、口と鼻を覆い、花粉、粉塵などの粒子の侵入を抑制、また、ウィルス、菌などの侵入または飛散を抑制できるプリーツ加工がされたマスク本体１であればよく、プリーツ加工しやすい不織布などがあるが、素材を制限されるものではない。ずれ防止マスク１００のマスク本体１にはポリプロピレン不織布マスクを用いた一例である。装着紐２は、プリーツマスク９０を顔に装着でき、装着者の耳部や頭部に柔軟に接触して痛みを与えるおそれがないものがよく、弾性的に伸縮可能なものでは、ポリウレタン、ポリエステル、ナイロンなどの素材があるが、素材を限定されるものではない。ずれ防止マスク１００の装着紐２はポリエステル糸とポリウレタン糸の組み合わせ紐を用いた一例である。通常の公知のプリーツマスクを用いて、紐引掛り部６と固定紐３を有することで、顔に動きがあっても、固定紐３に引っ掛かった紐引掛り部６は動くことが無いため、プリーツマスク９０の上下のずれを十分に防止することができ、ずれ防止マスク１００となる。マスク本体１の左右の側端縁部に装着紐２をそれぞれ取付ける方法としては、例えば、縫合、溶着、接着剤等などの公知の方法で取り付けられる。不織布マスクの溶着の変形例としては、装着紐２の端側のマスク本体１と接合する部分に複数の穴又は隙間を設け、マスク本体１と同素材の不織布とマスク本体１で装着紐２の接合部分を覆い挟み、不織布とマスク本体１を装着紐２の穴又は隙間を埋め繋がるように溶着する方法もある。
【００２８】
ずれ防止マスク１００の装着紐２は、耳掛け以外に、図示はしないが、サージカルマスクのような、首の後ろと後頭部の２箇所にそれぞれ結ぶ紐タイプを用いても、ずれ防止マスク１００は、顔に動きが有っても、固定紐３に引っ掛かった紐引掛り部６は動くことが無いため、マスク本体１の上部はずれることはない。
【００２９】
ずれ防止マスク１００の固定紐３を頭部に結んで取付ける方法以外に、図４（ａ）に示すように、左右の固定紐３を工業用プラスチック製又は金属製の筒３０に通し、左右の固定紐３の一方又は両方を引張って筒３０に固定紐３を固定してもよい。筒３０は、固定紐３が通る時にきつめにするとよい。筒３０の断面が、円形以外に多角形でもよい。また、図４（ｂ）に示すように、工業用プラスチック製又は金属製の引掛止具３１に、左右の固定紐３を引っ掛けて固定する方法で、引掛止具３１は、側部から固定紐３を誘導し通すことができる切り欠き３２ａを設け、さらに、切り欠き３２ａに奥側が狭くなった切り欠き３２ｂを左右に設け、左右の固定紐３をそれぞれ切り欠き３２ｂの奥側に通し引っ掛けて固定紐３を固定する。装着紐２は、耳掛け以外に、引掛止具３１の左右の端にそれぞれ引掛け、プリーツマスク９０を顔に装着してもよい。さらに、図示はしないが、コードストッパーを用いて固定紐３を固定してもよい。コードストッパーとは、紐を通す穴を備えた筒状の外筒と、外筒にスライドが可能に取付けることができる紐を通す穴を備えた内筒と、外筒と内筒の間に配設されたバネ等の弾性手段とを有し、外筒と内筒の穴にそれぞれ通した紐が、弾性手段の弾性復元力によって、外筒と内筒との間に挟まれ止まるものである。固定紐３を頭部に取付け固定する方法は、頭部を圧迫せず、ずれなく、外れなく取付けることができればいいので、これらの取付け方法に限定されるものではない。筒３０、引掛止具３１又はコードストッパーなどの固定紐３を取付ける取付具を用い、伸縮しない固定紐３であっても、固定紐３を頭部にしっかり取付けることができるのであれば、固定紐３に伸縮が小さい紐から伸縮しない紐までを使うことができる。
【００３０】
ずれ防止マスク１００の固定紐３は、装着前に紐引掛り部６から抜けない対策として、図１の紐止部４のように、固定紐３を紐引掛り部６に通した後に結ぶ目を設けるとよい。また、図５に示すように、紐止部４の変形例として、固定紐３を紐引掛り部６に通した後に、紐止部４として工業用プラスチック製のシート３３に２つの穴８ｂを設け、その２つの穴８ｂに固定紐３を通したものでもよい。
【００３１】
ずれ防止マスク１００に、マスク本体１の上縁部の中央に、アルミニウムやポリエチレン樹脂などの顔面に合わせて屈曲させ屈曲状態を維持することが可能なノーズピース５を設け、鼻上部とマスク本体１の密着度を上げるとよい。
【００３２】
ずれ防止マスク１００の固定紐３は、紐引掛り部６の穴８ａに通しやすいように、固定紐３の両端にプラスチックや金属で覆うアグレットを設けたり、溶融する固定紐３であれば両端を溶かし細く固めてもよい。
【００３３】
ずれ防止マスク１００は、装着したマスク本体１の端からマスク本体１と顔の隙間に手を入れて、鼻の下の付け根に固定紐３を掛けることは容易であるが、手を隙間に入れずに、固定紐３を鼻の下の付け根に誘導する方法として、図６では、マスク本体１の中央付近に、誘導部１０を設けたものである。誘導部１０としては、糸１３をマスク本体１の内側にある固定紐３に掛ける又は通し、マスク本体１の中央付近の外側に通して輪にしたものである。誘導操作としては、ずれ防止マスク１００は装着紐２を使って顔に装着し、固定紐３の両端を頭部の後ろで軽く持った状態で、マスク本体１の外側にある糸１３を摘み、鼻の下の付け根の位置まで固定紐３を誘導し、その後、固定紐３を頭部の後ろで結ぶ。（固定紐３を結んだ後、糸１３を切ってもよい）糸１３には、綿糸を用いたが、固定紐３を誘導するだけなので、公知の糸でよい。また、図７では、誘導部１０の変形例として、固定紐３とマスク本体１を溶着することが可能な場合、紐取付部１２として固定紐３の表面の一部とマスク本体１の内側の中央付近の面を引張ったら外れる程度に溶着１４ｂで取付けたものである。誘導操作として、ずれ防止マスク１００は装着紐２を使って顔に装着し、固定紐３の両端を頭部の後ろで軽く持った状態で、溶着１４ｂの反対面のマスク本体１の外側の中央を摘み、鼻の下の付け根の位置まで固定紐３を誘導し、マスク本体１の外側を軽く引張って、固定紐３とマスク本体１の溶着１４ｂを切り、固定紐３を頭部の後ろで結ぶ。マスク本体１の外側を摘みやすくするために、手で摘むことができる程度の大きさの不織布片９を取付けてもよい。不織布片９は、マスク本体１と同じ不織布を用い溶着し取付けるとよい。なお、図６、図７は、誘導部１０の説明であり装着紐２及びノーズピース５の描画を省略する。
【００３４】
（実施形態２）
本発明の実施形態２に係るずれ防止マスクは、本発明の実施形態１に係るずれ防止マスクの固定紐の中央部を、前フレームにすることで、前フレームを持って、前フレームの中央を鼻の下の付け根の位置に誘導することが容易となったものである。以下に、本発明の実施形態２に係るずれ防止マスクについて、図８〜図９を参照しながら詳細に説明する。
【００３５】
図８は、本発明の実施形態２に係るずれ防止マスクを顔に装着した図、図９は、本発明の実施形態２に係るずれ防止マスクの固定紐と前フレームの変形例の説明図である。なお、実施形態２では、実施形態１で記載されたものと同一部分については同一符号を付し、その詳細な説明は省略する。
【００３６】
実施形態２に係るずれ防止マスク２００は、図８に示すように、実施形態１に係るずれ防止マスク１００において、固定紐３の中央部を、略Ｕ字状からなる棒の前フレーム１５にしたものである。棒の前フレーム１５は左右の紐引掛り部６である穴８ａに通す。棒の前フレーム１５の両端は、耳の上の耳付け根の手前までとどき、その先は固定紐３を左右それぞれに取付け繋げたものである。棒の前フレーム１５を穴８ａに通すことで、棒の前フレーム１５に穴８ａが引っ掛かる。
【００３７】
ずれ防止マスク２００を、顔に装着する場合は、装着紐２を左右の耳にそれぞれ掛けてマスク本体１を顔に取付け、棒の前フレーム１５の中央部を鼻の下の付け根に下から上に掛け、棒の前フレーム１５に取付けられた固定紐３は、左右の耳の上の耳付け根の上を通り、頭部の後ろで結んで頭部に取付ける。装着紐２と前フレーム１５に取付けられた固定紐３の取付け順は特にない。
【００３８】
ずれ防止マスク２００の棒の前フレーム１５は、中央を鼻の下の付け根に下から上に掛け、棒の前フレーム１５に取付け繋がった固定紐３は、左右の耳の上の耳付け根に上から下に掛けた状態で、頭部の後ろで結んで頭部に取付け固定されるため、ずれ防止マスク１００の固定紐３と同じで、顎及び首を動かしても、ほとんど動かない位置に固定することができる。
【００３９】
ずれ防止マスク２００は、頭部に取付け固定された棒の前フレーム１５を、穴８ａに通すことで、穴８ａが棒の前フレーム１５に引っ掛かった状態で固定され、穴８ａは上下方向に動くことができない。そのため、穴８ａを設けたマスク本体１の上部は、ずれ防止マスク１００の上部と同様に、ずれることなく装着当初の位置を維持することができる。また、マスク本体１の下部は、マスク本体１がプリーツ加工なので、ずれ防止マスク１００の下部と同様に、顎に合わせて上下運動をすることができ、顎が上に戻れば、装着当初の元の位置に戻り、マスク本体１がずれることはない。
【００４０】
ずれ防止マスク２００の紐引掛り部６である穴８ａは、棒の前フレーム１５を通すと抵抗がある穴サイズにすると、使用前から棒の前フレーム１５が自然に抜け難くなると共に穴との隙間が無くなり気密性を高める。また、棒の前フレーム１５が通る緩めの穴サイズの穴８ａであれば、固定紐３が装着前に紐引掛り部６の穴８ａから抜けない対策として、ずれ防止マスク１００と同様の紐止部４などを設けるとよい。棒の前フレーム１５が穴８ａを通った後のマスク本体１の外側と接する部分では、棒の前フレーム１５と顔にマスク本体１が軽く挟まれた状態となっているため、マスク本体１と顔の密着度を下げることはない。
【００４１】
ずれ防止マスク２００の棒の前フレーム１５は、顔の側面の位置にある棒の前フレーム１５の両側を持って、棒の前フレーム１５の中央を鼻の下の付け根に誘導することが可能となる、たわみが無い又はたわみが大きく発生しない程度の弾性力があればよい。具体的には、例えば、一般的な工業用プラスチックが考えられ、ポリエチレン樹脂、ポリプロピレン樹脂、ＡＢＳ樹脂、ＥＶＡ樹脂、ポリスチレン樹脂、ポリアミド樹脂、ナイロン樹脂等が挙げられる。但し、断面形状によって弾性特性が変化するため、これらの素材に限定されることなく、形状等に応じて適宜選択すればよい。ずれ防止マスク２００の棒の前フレーム１５は、ポリプロピレン樹脂の棒を用いた。前フレーム１５は、マスク本体１の内側を通りマスク本体１の覆い部よりも小さく、顔面に沿って取付けるので、マスク本体１のドーム型は潰れたり更に膨らんだりすることはない。
【００４２】
ずれ防止マスク２００の固定紐３には、伸縮が小さい紐又はほとんど伸縮しにくいポリプロピレン繊維の平紐を用い、前フレームと固定紐の繋ぎ部１９では、固定紐３と棒の前フレーム１５を溶着１４ｃで取付けた。その他の取付け方法としては、図示はしないが、前フレーム１５の両端に固定紐３が通る穴を設け、その穴に固定紐３を通し固定紐３を結んだり、穴に固定紐３を巻いて縫合したり、穴に固定紐３を巻いて溶着又は接着したりして繋いで取付けてもよい。また、前フレーム１５の両端と固定紐３をプラスチックや金属によるアグレットで繋いだりしてもよい。前フレーム１５と固定紐３が確実に取り付けられればいいので、これらの取付け方法に限定されるものではない。
【００４３】
また、図９に示すように、実施形態２に係るずれ防止マスク２００の棒の前フレーム１５の変形例として、管の前フレーム１５に固定紐３を中に通し、管の前フレーム１５は固定紐３の中央部に位置し、管の前フレーム１５を鼻の下の付け根に下から上に掛け、固定紐３の両端を頭部の後ろで結んで固定するものである。管の前フレーム１５の両端は、それぞれ紐引掛り部６の穴８ａを通って、耳の上の耳付け根の手前までとどく。固定紐３と管の前フレーム１５の関係は、固定紐３が管の前フレーム１５の中を通り可動できるもの以外に、図示はしないが、管の前フレーム１５の中を可動する固定紐３を前フレーム１５の端で閉じることで止めたもの、又は固定紐３を管の前フレーム１５の中に通さず前フレーム１５の端に固定紐３を取付けたものでもよい。管の前フレーム１５は、顔の側面に位置する管の前フレーム１５の両側を持って、管の前フレーム１５の中央を鼻の下の付け根に誘導することができる、たわみが無い又はたわみが大きく発生しない程度の弾性力があればよい。具体的には、一般的な工業用プラスチックやゴムが考えられ、例えば、ポリエチレン樹脂、ナイロン樹脂、ポリプロピレン樹脂、ポリ塩化ビニール樹脂、シリコンゴム等の管が挙げられる。但し、断面形状によって弾性特性が変化するため、これらの素材に限定されることなく、形状等に応じて適宜選択すればよい。
【００４４】
棒又は管の前フレーム１５は、顔の側面の位置にある左右の前フレーム１５を持って、鼻の下の付け根に誘導する方法以外に、紐引掛り部６の穴８ａまでとどかない長さの前フレーム１５を用いた場合は、マスク本体１の外側の上から前フレーム１５の中央を持って誘導することが可能である。
【００４５】
（実施形態３）
本発明の実施形態３に係るずれ防止マスクは、本発明の実施形態１に係るずれ防止マスクの固定紐を、固定フレームにすることで、固定フレームを顔に取付ける操作を容易にしたものである。以下に、本発明の実施形態３に係るずれ防止マスクについて、図１０〜図１３を参照しながら詳細に説明する。
【００４６】
図１０は、本発明の実施形態３に係るずれ防止マスクを顔に装着した図、図１１は、本発明の実施形態３に係るずれ防止マスクの変形例を顔に装着した図、図１２は、本発明の実施形態３に係るずれ防止マスクの変形例を顔に装着した図、図１３は、本発明の実施形態３に係るずれ防止マスクの変形例を顔に装着した図である。なお、実施形態３では、実施形態１で記載されたものと同一部分については同一符号を付し、その詳細な説明は省略する。
【００４７】
実施形態３に係るずれ防止マスク３００は、図１０に示すように、実施形態１に係るずれ防止マスク１００において、固定紐３に代えて、略Ｕ字状の棒又は管（棒を空洞にし軽量化したもの）の固定フレーム１７を用いたものである。固定フレーム１７の両端には、耳に掛けることが可能な湾曲した耳掛け部１８を設けている。固定フレーム１７は、マスク本体１の内側を通り、マスク本体１の左右の紐引掛り部６である穴８ａに通しマスク本体１の外側に出したものである。固定フレーム１７を穴８ａに通すことで、固定フレーム１７に穴８ａが引っ掛かる。
【００４８】
ずれ防止マスク３００を、顔に装着する場合は、装着紐２を左右の耳にそれぞれ掛けてマスク本体１を顔に取付け、固定フレーム１７の中央部を鼻背に掛け、固定フレーム１７の耳掛け部１８を左右の耳に掛けて取付ける。装着紐２と固定フレーム１７の取付け順は特にない。
【００４９】
ずれ防止マスク３００の固定フレーム１７は、中央部を鼻背に掛け、耳掛け部１８を耳に掛けて頭部に取付ける。そのため、顎及び首を動かしても、ほとんど動かない位置に取付けることができる。固定フレーム１７は、顔の側部に接触し弾性特性によって顔を軽く挟持すると、更に取付安定性が増すのでよい。マスク本体１の内側を通る固定フレーム１７は、マスク本体１の覆い部よりも小さく、顔の輪郭近くを通る固定フレーム１７なので、マスク本体１のドーム型は潰れたり更に膨らんだりすることはない。固定フレーム１７は、左右の頬骨付近を通る部分は下側に少し湾曲することで、マスク本体１の上縁部から離れ、マスク本体１の上縁部と顔の間に隙間ができないようにする。
【００５０】
ずれ防止マスク３００は、頭部に安定した状態で取付けている固定フレーム１７を、穴８ａに通すことで、穴８ａが固定フレーム１７に引っ掛かった状態で固定され、穴８ａは下方向に動くことができない。そのため、穴８ａを設けたマスク本体１の上部は、下にずれることなく装着当初の位置を維持することができる。また、マスク本体１の下部は、マスク本体１がプリーツ加工なので、ずれ防止マスク１００の下部と同様に、顎に合わせて上下運動をすることができ、顎が上に戻れば、装着当初の元の位置に戻り、マスク本体１がずれることはない。
【００５１】
ずれ防止マスク３００の紐引掛り部６である穴８ａは、固定フレーム１７を通すと抵抗がある穴サイズにすると、使用前から固定フレーム１７が自然に抜け難くなると共に穴との隙間が無くなり気密性を高める。固定フレーム１７が穴８ａを通った後のマスク本体１の外側と接触する部分では、固定フレーム１７と顔にマスク本体１が軽く挟まれた状態となっているため、マスク本体１と顔の密着度を下げることはない。
【００５２】
固定フレーム１７は、顔の側面に位置する固定フレーム１７の両側を持って、固定フレーム１７の中央を鼻背に誘導することが可能となる、たわみが無い又はたわみが大きく発生しないための弾性力と、顔を軽く挟持する弾性力があればよい。具体的には、例えば、一般的な工業用プラスチックが考えられ、ポリエチレン樹脂、ポリプロピレン樹脂、ＡＢＳ樹脂、ＥＶＡ樹脂、ポリスチレン樹脂、ポリアミド樹脂、ナイロン樹脂、アセテート樹脂等が挙げられる。また、アルミニウムや鉄などの金属が挙げられる。金属は、樹脂をコーテングしたものでもよい。但し、断面形状によって弾性特性が変化するため、これらの素材に限定されることなく、形状等に応じて適宜選択すればよい。固定フレーム１７は、鼻背に接触する中央部に、鼻に掛けた時に安定するように、鼻パッドを設けてもよい。
【００５３】
実施形態３に係るずれ防止マスク３０１は、図１１に示すように、実施形態３に係るずれ防止マスク３００に対して、固定フレーム１７が、マスク本体１の外側を通り、マスク本体１の左右の紐引掛り部６の穴８ａに通してマスク本体１の内側に出したものである。固定フレーム１７を穴８ａに通すことで、固定フレーム１７に穴８ａが引っ掛かる。
【００５４】
ずれ防止マスク３０１を、顔に装着する場合は、装着紐２を左右の耳にそれぞれ掛けてマスク本体１を顔に取付け、固定フレーム１７の中央部をマスク本体１の外側から鼻背に掛け、固定フレーム１７の耳掛け部１８を左右の耳に掛けて取付ける。
【００５５】
ずれ防止マスク３０１の固定フレーム１７は、ずれ防止マスク３００の固定フレーム１７と同様に、顎及び首を動かしても、ほとんど動かない位置に取付けることができる。また、ずれ防止マスク３０１の固定フレーム１７は、顔の側部の位置でマスク本体１と接触し弾性特性によって顔を軽く挟む。マスク本体１の外側を通る固定フレーム１７は、マスク本体１の中央部の膨らみのある位置を通らずマスク本体１の上部を通る固定フレーム１７であるため、マスク本体１のドーム型はほとんど潰れることはない。
【００５６】
ずれ防止マスク３０１は、ずれ防止マスク３００と同様に、穴８ａが固定フレーム１７に引っ掛かった状態で固定されているので、マスク本体１は装着当初の位置を維持しずれることはない。
【００５７】
ずれ防止マスク３０１は、固定フレーム１７が穴８ａを通る前のマスク本体１の外側と接触する部分では、固定フレーム１７と顔にマスク本体１が軽く挟まれた状態となっているため、マスク本体１と顔の密着度を下げることはない。
【００５８】
ずれ防止マスク３０１の紐引掛り部６に、図３（ａ）に示す不織布片９を、マスク本体１の外側の上側の両角部に設け、マスク本体１と不織布片９の間に、固定フレーム１７を通してもよい。
【００５９】
実施形態３に係るずれ防止マスク３０２は、図１２に示すように、実施形態３に係るずれ防止マスク３０１の紐引掛り部６の変形例である。紐引掛り部６の穴８ａに代えて、マスク本体１の外側の上縁側の角部付近に、工業用プラスチック製又は金属製からなるフック２６を設け、固定フレーム１７に引っ掛かるように取付けたものである。
【００６０】
ずれ防止マスク３０２を、顔に装着する場合は、装着紐２を左右の耳にそれぞれ掛けてマスク本体１を顔に取付け、固定フレーム１７の中央部をマスク本体１の外側から鼻背に掛け、固定フレーム１７の耳掛け部１８を左右の耳に掛けて取付ける。フック２６は、初めから固定フレーム１７に掛けずに、固定フレーム１７を顔に取付けた後に、固定フレーム１７に掛けてもよい。図１２の例では、フック２６はマスク本体１と同じポリプロピレン樹脂を用い、フック２６をマスク本体１に溶着１４ｄで取付けた。紐引掛り部６のフック２６は、固定フレーム１７に引っ掛かっているので、ずれ防止マスク３０２はずれることはない。
【００６１】
さらに、図１３に示すように、実施形態３に係るずれ防止マスク３０３は、実施形態３に係るずれ防止マスク３０１の固定フレーム１７と紐引掛り部６の変形例で、ずれ防止マスク３０１の固定フレーム１７に、市販のメガネ４０のフレームを代用し、紐引掛り部６は、マスク本体１の外側の上縁側の角部付近に、不織布からなる通し帯２４に一方の面に重ねるとファスナー接着ができる１組の両面ファスナー２５を設け、通し帯２４の他方の面とマスク本体１の面を溶着１４ｅで取付けた。ずれ防止マスク３０３を、顔に装着する場合は、装着紐２を左右の耳にそれぞれ掛けてマスク本体１を取付け、メガネ４０は、ブリッジ４１を鼻根に掛け、モダン４３を耳に掛け、通し帯２４はメガネ４０のテンプル４２を挟み、挟んだ状態にして両面ファスナー２５で貼り合わせファスナー接着する。図１３の例では、通し帯２４はマスク本体１と同じポリプロピレン不織布を用いた。紐引掛り部６の通し帯２４は、テンプル４２に引っ掛かっているので、ずれ防止マスク３０３はずれることはない。固定フレーム１７の中央を鼻根に掛け、固定フレーム１７をマスク本体１の外側に通したものは、ずれ防止マスク３０３のメガネ４０と同じ働きをする。
【００６２】
（実施形態４）
本発明の実施形態４に係るずれ防止マスクは、本発明の実施形態１に係るずれ防止マスクのマスク本体の中央部分に引掛け部を備え、固定紐を取付けることで、引掛け部をマスク本体の外側から摘んで、鼻尖又は外鼻孔の取付け位置に誘導することができる。以下に、本発明の実施形態４に係るずれ防止マスクについて、図１４〜図１５を参照しながら詳細に説明する。
【００６３】
図１４は、本発明の実施形態４に係るずれ防止マスクを顔に接する側から見た斜視図、図１５は、本発明の実施形態４に係るずれ防止マスクの変形例を顔に接する側から見た斜視図である。なお、実施形態４では、実施形態１で記載されたものと同一部分については同一符号を付し、その詳細な説明は省略する。
【００６４】
実施形態４に係るずれ防止マスク４００は、図１４に示すように、実施形態１に係るずれ防止マスク１００において、マスク本体１の内側上縁よりの中央部分に、引掛け部２０であるリング２１を取付けた。リング２１の取付は、リング２１の上部に、マスク本体１と同じ不織布からなる取付片２３を挟み、取付片２３とマスク本体１を溶着１４ｆにより取付けた。リング２１の両側部は、固定紐３の中央を切断しそれぞれ左右に巻き、縫合し取付けた。リング２１は、鼻尖に嵌め、鼻尖の下に引っ掛けることが可能な環状のもので、リング２１が鼻尖に更に引っ掛けることができるように、リング２１は鼻尖の周辺の形状に合わせて屈曲するものが好ましい。リング２１としては、例えば、ポリエチレン樹脂、ポリプロピレン樹脂等が挙げられる。また、金属が考えられ、アルミニウムなどが挙げられる。鼻尖の下に引っ掛けることができればいいので、これらの素材に限定されるものではない。
【００６５】
リング２１をマスク本体１に取付けるその他の方法としては、図示はしないが、例えば、リング２１とマスク本体１が溶着できる場合は直接溶着、リング２１とマスク本体１とを接着剤で接着、リング２１に取付片２３を巻き、取付片２３とマスク本体１を縫合などが考えられる。また、固定紐３を引掛け部２０に取付けるその他の方法としては、図示はしないが、例えば、リング２１と固定紐３が溶着できる場合は直接溶着、固定紐３のみ溶着できる場合はリング２１に固定紐３を巻いて溶着、リング２１に固定紐３を巻いて接着剤で接着などが考えられる。
【００６６】
ずれ防止マスク４００を、顔に装着する場合は、装着紐２を左右の耳にそれぞれ掛けてマスク本体１を顔に取付け、引掛け部２０のリング２１を鼻尖に通して鼻尖に合わせて屈曲させて嵌める。リング２１に取付けた固定紐３は、左右の耳の上の耳付け根の上を通り、頭部の後ろで結んで頭部に取付ける。装着紐２とリング２１に取付けられた固定紐３の取付け順は特にない。
【００６７】
ずれ防止マスク４００のリング２１は、リング２１が鼻尖に下から上に引っ掛け、リング２１に取付けられた固定紐３は、左右の耳の上の耳付け根に上から下に掛けた状態で、頭部の後ろで結んで頭部に取付け固定されているので、ずれ防止マスク１００の固定紐３と同様に、ほとんど動かない位置に安定した状態で取付けることができる。そのため、マスク本体１は、装着当初の位置を維持することができ、マスク本体１がずれることはない。また、取付片２３を設けなくてもマスク本体１がずれることはない。
【００６８】
ずれ防止マスク４００の固定紐３は、引掛け部２０を通り、顔面に沿って取付けるので、マスク本体１のドーム型は潰れたり更に膨らんだりすることはない。
【００６９】
実施形態４に係るずれ防止マスク４０１は、実施形態４に係るずれ防止マスク４００の引掛け部２０の変形例で、図１５に示すように、引掛け部２０にフック引掛具２２を用いたものである。フック引掛具２２は、鼻尖に通す四角の枠に、外鼻孔に引っ掛けることができるフックを備えており、鼻下に引っ掛けるようになっている。フック引掛具２２の取付は、フック引掛具２２の上部に、マスク本体１と同じ不織布からなる取付片２３を挟み、取付片２３とマスク本体１とを溶着１４ｆにより取付けた。フック引掛具２２の両側部は、固定紐３の中央を切断しそれぞれ左右に巻き、縫合し取付けた。フック引掛具２２としては、例えば、一般的な工業用プラスチックなどが考えられ、ポリエチレン樹脂、ポリプロピレン樹脂、ＡＢＳ樹脂、ＥＶＡ樹脂、ポリスチレン樹脂、アセテート樹脂等が挙げられる。外鼻孔に引っ掛け形状を維持すればいいので、これらの素材に限定されるものではない。
【００７０】
フック引掛具２２をマスク本体１に取付けるその他の方法としては、実施形態４に係るずれ防止マスク４００と同様の方法が考えられる。
【００７１】
ずれ防止マスク４０１を、顔に装着する場合は、装着紐２を左右の耳にそれぞれ掛けてマスク本体１を顔に取付け、引掛け部２０のフック引掛具２２のフックを外鼻孔に引っ掛け、フック引掛具２２に取付けた固定紐３は、左右の耳の上の耳付け根の上を通り、固定紐３を、頭部の後ろで結んで頭部に取付ける。取付け順は特にない。
【００７２】
ずれ防止マスク４０１のフック引掛具２２は、フック引掛具２２が鼻下に下から上に引っ掛け、フック引掛具２２に取付けた固定紐３は、左右の耳の上の耳付け根に上から下に掛けた状態で、頭部の後ろで結んで頭部に取付け固定されているので、ずれ防止マスク１００の固定紐３と同様に、ほとんど動かない位置に安定した状態で取付けることができる。そのため、マスク本体１は、装着当初の位置を維持することができ、マスク本体１がずれることはない。
【符号の説明】
【００７３】
１  マスク本体
２  装着紐
３  固定紐
４  紐止部
５  ノーズピース
６  紐引掛り部
７  顔側
８ａ  穴
８ｂ  穴
９  不織布片
１０  誘導部
１２  紐取付部
１３  糸
１４ａ  溶着
１４ｂ  溶着
１４ｃ  溶着
１４ｄ  溶着
１４ｅ  溶着
１４ｆ  溶着
１５  前フレーム
１７  固定フレーム
１８  耳掛け部
１９  前フレームと固定紐の繋ぎ部
２０  引掛け部
２１  リング
２２  フック引掛具
２３  取付片
２４  通し帯
２５  両面ファスナー
２６  フック
２７  クッションシート材
２８  両面接着体
３０  筒
３１  引掛止具
３２ａ  切り欠き
３２ｂ  切り欠き
３３  シート
４０  メガネ
４１  ブリッジ
４２  テンプル
４３  モダン
９０  プリーツマスク
１００  ずれ防止マスク
２００  ずれ防止マスク
３００  ずれ防止マスク
３０１  ずれ防止マスク
３０２  ずれ防止マスク
３０３  ずれ防止マスク
４００  ずれ防止マスク
４０１  ずれ防止マスク
【図１】
2020084339.tif 000003
【図２】
2020084339.tif 000004
【図３】
2020084339.tif 000005
【図４】
2020084339.tif 000006
【図５】
2020084339.tif 000007
【図６】
2020084339.tif 000008
【図７】
2020084339.tif 000009
【図８】
2020084339.tif 000010
【図９】
2020084339.tif 000011
【図１０】
2020084339.tif 000012
【図１１】
2020084339.tif 000013
【図１２】
2020084339.tif 000014
【図１３】
2020084339.tif 000015
【図１４】
2020084339.tif 000016
【図１５】
2020084339.tif 000017
【手続補正書】
【提出日】令和1年9月12日(2019.9.12)
【手続補正１】
【補正対象書類名】明細書
【補正対象項目名】全文
【補正方法】変更
【補正の内容】
【発明の詳細な説明】
【技術分野】
【０００１】
本発明は、顔に装着し使用してもずれないマスクに関するものである。
【背景技術】
【０００２】
顔に装着するマスクにおいて、装着したマスクがずれ難いものが提案されており、概略は以下の内容であった。
特許文献１に示すように、マスクの側端部の上端と下端に取付けた紐を両側に設け、一方の紐を中部と上端との間では後頭部に掛け、中部と下端との間では首部に掛け、紐の中部をマスクの反対側の紐を掛止めする掛止部材に掛止めしている。他方の紐も、同様に後頭部に掛け、首部に掛け、掛止部材に掛止めしている。２つの紐は、後頭部と首部で、それぞれ交差した状態になっている。
この提案は、後頭部と首部に掛けている上端側と下端側の紐の長さと引っ張り強さのバランス調整が容易ではなく、調整が不十分な状態で使用すると、マスクがずれてしまう問題があった。
【先行技術文献】
【特許文献】
【０００３】
【特許文献１】特開  ２０１６−４９１５５
【発明の概要】
【発明が解決しようとする課題】
【０００４】
これには次のような欠点があった。
従来の特許文献１の発明は、マスクを顔に装着するための紐を、紐の中部から上端側と下端側に分けて後頭部と首部に掛けて、マスクを固定している。その紐の中部では、摺動可能な掛止部材に紐を掛止するようになっているが、１本の紐の上端側と下端側の長さと引張力のバランスを自動で最適調整することはできず、紐を掛止した感触を頼りにバランスを判断し、紐を掛止めするしかなかったので、紐のバランスの調整は容易ではなかった。また、マスクがずれ難くするために、上端側と下端側の紐の引張力を強くすれば、締め付けによる不快感が増していた。さらに、紐の上端側の引張力が弱ければ、後頭部に掛けた紐がずれやすくなり、マスクがずれる原因となっていた。
特許文献１の発明の構成は、１本の紐の上端側と下端側を中部の掛止部材で掛止し支えていると同時に、その掛止部材近くに反対側の掛止部材に掛止する紐が取付けられており、掛止部材では３方の引張力が１点に集中することで、マスクの上端部では、左右の掛止部材又は掛止部材の取付け付近を引張るかたちとなり、マスクの上端部にノーズピースを設け屈曲させて鼻上部付近とマスクの隙間を無くしメガネの曇りを防止しても、掛止部材に掛止した紐の引張力が強くなると、ノーズピースの屈曲部分が伸びて隙間ができ密着度を下げ、口元の加湿が漏れメガネを曇らす原因となっていた。
【課題を解決するための手段】
【０００５】
上記の課題を解決する本発明は、以下構成を有する。
なお、本願でいう「鼻の下の付け根」は、鼻と上口唇の境の凹部を意味する。「耳の上の耳付け根」は、耳上部の耳と頭部の境の凹部を意味する。「マスク本体の内側」は、マスク本体の顔に接する側を意味する。「マスク本体の外側」は、マスク本体の顔に接しない側を意味する。
【０００６】
請求項１記載の発明であるずれ防止マスクは、上下方向に広がることが可能なプリーツが形成されたマスク本体と、マスク本体を顔に装着できるようにマスク本体の左右の側端縁部に装着紐を備えたプリーツマスクにおいて、マスク本体の内側を通る固定紐と、マスク本体の上縁側の左右の角部付近に、固定紐に引っ掛かる紐引掛り部とを有し、固定紐に左右の紐引掛り部が引っ掛かったことを特徴とする。
上記構成の発明において、固定紐は、左側の耳の上の耳付け根、マスク本体の左側の紐引掛り部、鼻の下の付け根、マスク本体の右側の紐引掛り部、右側の耳の上の耳付け根をそれぞれ通り、頭部の後ろで結んで頭部に取付け固定する。固定紐の通る順は逆でも良い。固定紐を、頭部の後ろで取付け固定するその他の例は、後述する実施形態で説明する。装着紐は、左右の耳に掛けてマスク本体を顔に装着する。
請求項１記載の発明の固定紐を頭部に固定する位置は、顎又は首を動かしても、ほとんど動かない位置に取付け固定しており、しかも、鼻の下の付け根に下から上に掛けた状態、耳の上の耳付け根に上から下に掛けた状態なので、ほとんど動かない状態を維持することができる。くしゃみ、あくび、咳、会話等で、大きく顎が動いても、ほとんどずれには影響しない。また、固定紐は、皮脂や汗が出ていても滑ったりずれたりすることはない。頭部に固定された固定紐は、手で上下に動かそうとしても容易に動くものではない。
請求項１記載の発明の左右の紐引掛り部は、頭部に取付けると動くことがない固定紐に引っ掛かっていることで、プリーツ加工のマスク本体の紐引掛り部より上側は、下に動くことができない。そのため、顎又は首を動かしても、マスク本体の上部は、顔に取付けた装着当初の位置を維持することができる。
市販のマスクは、顔に装着し、くしゃみ、あくび、会話等をすると、その顎の動きにマスク本体が引張られてずれてしまうが、請求項１記載の発明は、固定紐が紐引掛り部を下に動かないように固定しているので、マスク本体の上部は下に動くことは無く、マスク本体の下部は、プリーツ加工により顎に合わせて上下するが、口を閉じれば、装着紐がマスク本体の下部を引き付けて元の位置に戻る。
市販のマスクの装着紐の引張力は、装着したマスク本体が顔から離れず落ちない働きをしていたが、請求項１記載の発明の装着紐は、主に顔にマスク本体を引き付けて離れない働きを役目とし、固定紐と紐引掛り部は、主にマスク本体のずれを防止する働きを役目としている。そのため、装着紐にずれを防止するための引張力は必要としないので、その分だけ引張力を弱くすることができ、耳掛けした場合の痛みを軽減することができる。固定紐は、頭部の後ろで結んだ結び目が自然に解けないようにしっかり結ぶことができ、使用後は結び目を解くことができる紐の伸縮があればよく、伸縮が小さい紐又はほとんど伸縮しにくい紐で、頭部に圧迫せずに取付けるので、皮膚に食い込むような引張力は必要としない。
請求項１記載の発明の固定紐は、マスク本体を装着した内側では、顔面に沿って取付けられるので、マスク本体と顔の密着度を下げることはない。また、マスク本体のドーム型は潰れたり更に膨らんだりすることはなく本来の膨らみを維持することができ、請求項１記載の発明の装着による圧迫感を感じることはない。
【０００７】
請求項２記載の発明であるずれ防止マスクは、請求項１記載の発明において、固定紐の中央部を略Ｕ字状の棒又は管からなる前フレームにしたことを特徴とする。
上記構成の請求項２記載の発明は、請求項１記載の発明と同様の作用に加え、前フレームは、前フレームを鼻の下の付け根の位置に掛けた状態で使用するもので、そのために、顔の側面に位置する前フレームの両側を持って誘導することが容易にできるようになった。
請求項２記載の発明のマスク本体の内側を通る前フレームは、マスク本体の覆い部よりも小さく、顔の輪郭に沿う形の前フレームであるため、マスク本体と顔の密着度を下げることはない。また、マスク本体のドーム型の膨らみを維持することができ、請求項２記載の発明の装着による圧迫感を感じることはない。
【０００８】
請求項３記載の発明であるずれ防止マスクは、請求項１記載の発明において、固定紐に代えて、マスク本体の内側又は外側を通る略Ｕ字状の棒又は管からなる固定フレームを備え、固定フレームの両端には、耳に掛ける耳掛け部を設け、固定フレームに左右の紐引掛り部が引っ掛かったことを特徴とする。
上記構成の請求項３記載の発明は、請求項１記載の発明と同様の作用に加え、マスク本体の内側を通す固定フレームは鼻背又は鼻の下の付け根を通り、マスク本体の外側を通す固定フレームは鼻背を通り、左右の耳掛け部を耳に掛けて顔に取付ける。固定フレームは、顔の側面に位置する固定フレームの両側を持って、固定フレームの中央を鼻背又は鼻の下の付け根の位置に誘導することが容易となり、固定フレームの脱着も簡便にしたものである。
請求項３記載の発明の固定フレームは、中央部を鼻背又は鼻の下の付け根に掛け、耳掛け部を耳に掛けて固定しているので、くしゃみ、あくび、咳、会話等で、大きく顎が動いても、ほとんど影響せず、下にずれることはない。
請求項３記載の発明の左右の紐引掛り部は、鼻と耳の間の固定フレームに、引っ掛かっていることで、プリーツ加工のマスク本体の紐引掛り部より上側は、下に動くことができない。そのため、マスク本体の上部は、顔に取付けた装着当初の位置を維持することができる。マスク本体の下部は、プリーツ加工により顎に合わせて上下するが、口を閉じれば、装着紐がマスク本体の下部を引き付けて元の位置に戻る。
市販のマスクの装着紐の引張力は、装着したマスク本体が顔から離れず落ちない働きをしていたが、請求項３記載の発明の装着紐は、主に顔にマスク本体を引き付けて離れない働きを役目とし、固定フレームと紐引掛り部は、主にマスク本体のずれを防止する働きを役目としている。そのため、装着紐にずれを防止するための引張力は必要としないので、その分だけ引張力を弱くすることができ、耳掛けした場合の痛みを軽減することができる。固定フレームは、中央部を鼻背又は鼻の下の付け根に掛け、耳掛け部を耳に掛けて取付けるので、皮膚に食い込み痛みを感じることは少ない。
マスク本体の内側を通る固定フレームは、マスク本体の覆い部よりも小さく、顔の輪郭近くを通るため、マスク本体のドーム型は潰れたり更に膨らんだりすることはなく本来の膨らみを維持することができる。また、マスク本体の外側を通る固定フレームは、マスク本体の中央部の膨らみのある位置を通らずマスク本体の上部を通るため、マスク本体のドーム型はほとんど潰れることはなく本来の膨らみを維持することができる。そのため、マスク本体と顔の密着度を下げることはない。また、請求項３記載の発明の装着による圧迫感を感じることはない。
【０００９】
請求項４記載の発明であるずれ防止マスクは、請求項１記載の発明において、マスク本体は、内側上縁よりの中央部分に引掛け部を備え、引掛け部は、マスク本体を顔に装着した際に、鼻尖付近に引っ掛けてマスク本体が上側にずれなくするものであり、引掛け部に、固定紐の中央を取付けたことを特徴とする。
上記構成の請求項４記載の発明は、請求項１記載の発明と同様の作用に加え、固定紐は、左側の耳の上の耳付け根、マスク本体の左側の紐引掛り部、引掛け部、マスク本体の右側の紐引掛り部、右側の耳の上の耳付け根をそれぞれ通り、頭部の後ろで結んで頭部に固定する。通る順は逆でも良い。
請求項４記載の発明の引掛け部は、鼻尖付近に引っ掛け、引掛け部に取付けた固定紐を頭部に取付け固定する。
請求項４記載の発明の固定紐を頭部に固定する位置は、顎又は首を動かしても、ほとんど動かない位置に取付け固定しており、しかも、鼻尖付近に上向きに引っ掛けた引掛け部と、耳の上の耳付け根に上から下に掛けた状態なので、ほとんど動かない状態を維持することができる。そのため、くしゃみ、あくび、咳、会話等で、大きく顎が動いても、ほとんどずれに影響することはない。また、固定紐は、皮脂や汗が出ていても滑ったりずれたりすることはない。
請求項４記載の発明は、固定紐が紐引掛り部を下に動かないように固定しているので、マスク本体の上部は下に動くことは無く、マスク本体の下部は、プリーツ加工により顎に合わせて上下するが、口を閉じれば、装着紐がマスク本体の下部を引き付けて元の位置に戻る。
請求項４記載の発明は、マスク本体の中央に引掛け部を設けることで、マスク本体の外側から引掛け部を持って、引掛け部を鼻尖又は外鼻孔の取付け位置に誘導できる。
請求項４記載の発明の固定紐は、鼻尖又は外鼻孔に引っ掛けた引掛け部を通り、顔面に沿って取付けられるので、マスク本体のドーム型は潰れたり更に膨らんだりすることはなく本来の膨らみを維持することができ、請求項４記載の発明の装着による圧迫感を感じることはない。
【００１０】
請求項５記載の発明であるずれ防止マスクは、請求項１、２又は４のいずれか１項に記載の発明において、固定紐を頭部に取付け固定するために取付具を備えたことを特徴とする。
上記構成の請求項５記載の発明は、請求項１、２又は４のいずれか１項に記載の発明と同様の作用に加え、取付具を使うことで、固定紐を結ぶことなく頭部に取付け固定することを容易にしたものである。
本発明は、以上の構成よりなる。
【発明の効果】
【００１１】
請求項１記載の発明は、長時間装着し、皮脂や汗が出て滑りやすい状態になった上に、くしゃみやあくびや会話など、顎を大きく動かしたとしても、固定紐がマスク本体の上部のずれを防止し、プリーツ構造と装着紐の引き付けにより、マスク本体の下部は、顎に合わせて上下運動し、口を閉じれば元の状態に戻り、マスク本体がずれること無く、装着当初の取付け位置を維持し続けることができるようになった。そのため、マスク本体の動きに違和感を感じることがなくなり、集中力を低下することもなく作業を続けることができるようになった。
また、請求項１記載の発明の固定紐と装着紐は別々の紐であるため、特許文献１の発明のように、１本の紐を上端と下端に分け、上下の紐の長さや引張力のバランス調整をする必要がないので、マスク本体がずれたり、紐の締め付けの強弱による不快を感じることはない。
請求項１記載の発明の紐引掛り部は、固定紐に引っ掛かっているだけなので固定紐の上を動くことができ、マスク本体の上端部を左右に引張ることは無いため、マスク本体の上端部が左右に伸びて隙間ができることはないので、マスク本体の上端部から口元の加湿が漏れメガネを曇らせることはない。
請求項１記載の発明の固定紐は、マスク本体のずれを防止することができるため、装着紐に、ずれを防ぐための引張力は必要としないので、その分だけ装着紐の引張力を弱くすることができ、装着紐を耳掛けした場合の痛みを軽減することができる。固定紐は、頭部に取付けても、引張力による皮膚に食い込むことは無いので、それによる痛みを感じることは無い。
請求項１記載の発明の用途は、例えば、食品を扱う職場や医療施設で、請求項１記載の発明を装着し、マスク本体のずれがなくなると、ずれを直すために不注意にマスク本体に触ることもなくなり、衛生面でも改善できた。また、ウィルスや菌などに感染している患者に、請求項１記載の発明を用いることで、マスク本体のずれがなくなると、ずれによる違和感がなくなり、マスク本体に触れ接触感染の機会も減るため、マスク本体に付着したウィルスや菌などが、手を通して感染拡散することが少なくなる。
【００１２】
請求項２記載の発明は、請求項１記載の発明の効果に加え、顔の側面に位置する前フレームの両側を持って、前フレームの中央を鼻の下の付け根の位置に誘導することが容易となった。
【００１３】
請求項３記載の発明は、顔に取付けた固定フレームに、紐引掛り部が引っ掛かることで、マスク本体が下にずれることを防止することができる。
請求項３記載の発明は、顔の側面に位置する固定フレームの両側を持って、固定フレームの中央を鼻背又は鼻の下の付け根の位置に誘導することが容易となり、固定フレームの脱着も簡便となった。
【００１４】
請求項４記載の発明は、請求項１記載の発明の効果に加え、マスク本体の中央に引掛け部を設けることで、マスク本体の外側から引掛け部を持って、引掛け部を鼻尖又は外鼻孔の取付け位置に誘導することができる。
【００１５】
請求項５記載の発明は、請求項１、２又は４のいずれか１項に記載の発明の効果に加え、取付具を使うことで、固定紐を頭部に取付ける際の締める力の微調整が容易となった。また、結び難い固定紐であっても、容易に頭部に固定紐を取付け固定でき、固定紐の結ぶための結び力が小さくてもよい。
【図面の簡単な説明】
【００１６】
【図１】本発明の実施形態１に係るずれ防止マスクを顔に接する側から見た斜視図である。
【図２】図１のずれ防止マスクを顔に装着した図である。
【図３】本発明の実施形態１に係るずれ防止マスクの紐引掛り部の変形例の説明図である。
【図４】本発明の実施形態１に係るずれ防止マスクの固定紐を固定する取付具の説明図である。
【図５】本発明の実施形態１に係るずれ防止マスクの紐止部の変形例の説明図である。
【図６】本発明の実施形態１に係るずれ防止マスクに誘導部を設けた時の下から上方向に見た説明図である。
【図７】本発明の実施形態１に係るずれ防止マスクの誘導部の変形例を下から上方向に見た説明図である。
【図８】本発明の実施形態２に係るずれ防止マスクを顔に装着した図である。
【図９】本発明の実施形態２に係るずれ防止マスクの固定紐と前フレームの変形例の説明図である。
【図１０】本発明の実施形態３に係るずれ防止マスクを顔に装着した図である。
【図１１】本発明の実施形態３に係るずれ防止マスクの変形例を顔に装着した図である。
【図１２】本発明の実施形態３に係るずれ防止マスクの変形例を顔に装着した図である。
【図１３】本発明の実施形態３に係るずれ防止マスクの固定フレームの説明図である。
【図１４】本発明の実施形態４に係るずれ防止マスクを顔に接する側から見た斜視図である。
【図１５】本発明の実施形態４に係るずれ防止マスクの変形例を顔に接する側から見た斜視図である。
【発明を実施するための形態】
【００１７】
次に、本発明の実施形態に係るずれ防止マスクについて、図面を参照して説明する。なお、以下に記載される実施形態は、本発明を説明するための例示であり、本発明をこれらの実施形態にのみ限定するものではない。
【００１８】
（実施形態１）
以下に、本発明の実施形態１に係るずれ防止マスクについて、図１〜図７を参照しながら詳細に説明する。
【００１９】
図１は、本発明の実施形態１に係るずれ防止マスクを顔に接する側から見た斜視図、図２は、図１のずれ防止マスクを顔に装着した図、図３は、本発明の実施形態１に係るずれ防止マスクの紐引掛り部の変形例の説明図、図４は、本発明の実施形態１に係るずれ防止マスクの固定紐を固定する取付具の説明図、図５は、本発明の実施形態１に係るずれ防止マスクの紐止部の変形例の説明図、図６は、本発明の実施形態１に係るずれ防止マスクに誘導部を設けた時の下から上方向に見た説明図、図７は、本発明の実施形態１に係るずれ防止マスクの誘導部の変形例を下から上方向に見た説明図である。
【００２０】
実施形態１に係るずれ防止マスク１００は、図１に示すように、左右方向中央付近を上下方向に広がることが可能なプリーツが形成された不織布のマスク本体１に、マスク本体１を顔に装着できるように、マスク本体１の左右の側端縁部に耳掛けできる装着紐２を備えたプリーツマスク９０において、マスク本体１の内側を通る固定紐３と、マスク本体１の上縁側の左右の角部付近に、固定紐３を通す紐引掛り部６として穴８ａを設け、固定紐３を左右の穴８ａに通す。固定紐３を穴８ａに通すことで、固定紐３に穴８ａが引っ掛かる。
【００２１】
ずれ防止マスク１００を、顔に装着する場合は、装着紐２を左右の耳にそれぞれ掛けてマスク本体１を顔に取付け、固定紐３は、中央部を鼻の下の付け根に下から上に掛け、左右の耳の上の耳付け根の上を通り、頭部の後ろで結んで頭部に取付ける。装着紐２と固定紐３の取付け順は特にない。
【００２２】
ずれ防止マスク１００の固定紐３は、図２に示すように、鼻の下の付け根に下から上に掛け、左右の耳の上の耳付け根に上から下に掛けた状態で、頭部の後ろで結んで頭部に取付け固定する。そのため、顎又は首を動かしても、ほとんど動かない位置に固定することができ、固定紐３が引張られたりすることはなく、安定した状態で頭部に取付けることができる。
【００２３】
ずれ防止マスク１００は、頭部に取付け固定されている固定紐３を、紐引掛り部６である穴８ａに通すことで、穴８ａが固定紐３に引っ掛かった状態となり、穴８ａは上下方向に動くことができない。そのため、穴８ａを設けたマスク本体１の上部は、ずれることなく装着当初の位置を維持することができる。固定紐３に引っ掛かった穴８ａの前方向の動きは、前方（顔から離れる方向）に出ようとすると、装着紐２に引き寄せられ、前方向に動くことはできない。
【００２４】
ずれ防止マスク１００のマスク本体１は、顎が上下運動すると、上下方向に広がるプリーツ加工なので、マスク本体１の上部は上下に動かず、マスク本体１の下部は顎に合わせて上下運動をすることができる。勿論、顎が上に戻れば、マスク本体１の下部は、装着紐２により引き寄せられ、装着当初の元の位置に戻り、マスク本体１がずれることはない。
【００２５】
ずれ防止マスク１００の固定紐３は、伸縮が小さい紐からほとんど伸縮しにくい紐までの公知の紐を用いることができる。固定紐３は、結んだ結び目（蝶結びなど）が自然に解けないように結ぶことができ、使用後は結びを解くことが容易となり得る程度の紐の伸縮は必要である。頭部に固定した固定紐３は、鼻の下の付け根に下から上に掛かった状態、左右の耳の上の耳付け根に上から下に掛かった状態に位置しており、固定紐３を頭部に緩く取り付けたとしても、結び目が解けない限り、固定紐３が頭部からずれたり外れたりすることはない。固定紐３は、マスク本体１の内側では、顔面に沿って取付けるので、マスク本体１のドーム型は潰れたり更に膨らんだりすることはない。
【００２６】
ずれ防止マスク１００の固定紐３は、紐の芯材にゴム又はポリウレタン繊維を用い伸縮の大きい特性を持つ紐を使用すると、固定紐３が鼻や耳を通る場所を強く圧迫したり、皮膚に食い込んだり、固定紐３が伸びることによりマスク本体１がずれたりすることがあると、あまり好ましくはない。後述する方法で測定される固定紐３の伸び率が、２０％以下であるのが好ましく、さらに好ましくは１４％以下が良い。固定紐３は、皮膚に食い込むような絞め力は必要なく、圧迫せずに頭部に取付けることが好ましい。固定紐３の素材としては、具体的には、例えば、和紙、綿、麻、絹、リヨセル繊維、レーヨン繊維、キュプラ繊維、ポリノジック繊維、アセテート繊維、トリアセテート繊維、プロミックス繊維、ナイロン繊維、ビニロン繊維、ポリ塩化ビニール繊維、ポリエステル繊維、アクリル繊維、ポリエチレン繊維、ポリプロピレン繊維等が挙げられる。また、固定紐３は、１種又は２種以上の素材からなる紐を用いる。但し、固定紐３の結び目が自然に解けない結び力は、紐の伸縮に加えて、紐の断面形状と紐の表面摩擦力によって結び力が変化するため、これらの素材に限定されることなく、伸縮の大きさと断面形状と表面摩擦力とに応じて適宜選択すればよい。ゴム又はポリウレタン繊維は、結び力を補強したりするために、固定紐３のカバーリング素材として用いてもよい。ずれ防止マスク１００の固定紐３には、皮膚に食い込むことなく頭部に取付けることができ、結びやすく、解きやすい綿の平紐を一例として用いた。固定紐３の結び方の一例では、固定紐３を鼻の下の付け根と左右の耳の上の耳付け根を通り、頭部の後ろで固定紐３の両端を軽く結び、固定紐３の頭部輪側の結び目近くの両側を少し引張った後、結び目をしっかり絞めなおすことで、固定紐３の頭部輪側にゆとりを持たせた状態で固定することができる。
固定紐３の伸び率（長さ方向）は、長さ３００ｍｍの試験片を、２００ｍｍ間隔（Ｌ０）に印を付け、この試験片の一端を上部クランプで上部に固定し、他端を下部クランプでつかみ２００ｇの荷重（下部クランプの重量含む）を加えて垂下し、印間の長さ（Ｌ１）を測定し、この測定した値を用いて次式（１）によって求められる伸び率（％）である。測定は、５回行いその平均を取る。但し、この伸び率測定方法以外に、長さ３００ｍｍの試験片を、２００ｍｍ間隔（Ｌ０）に印を付け、試験片を２００ｇの荷重を加え引張り、印間の長さ（Ｌ１）を測定することができれば、測定方法を限定されるものではない。
伸び率（％）＝（(Ｌ１−Ｌ０)÷Ｌ０）×１００・・・（１）
荷重２００ｇは、ずれ防止マスク１００を装着時に、顎が強く動くことでマスク本体１が下側にずれようとする際に、想定される固定紐３を引張る力である。
【００２７】
ずれ防止マスク１００の紐引掛り部６である穴８ａは、固定紐３を通すと抵抗がある穴サイズにすると、固定紐３が使用前から自然に抜け難くなると共に穴との隙間が無くなり気密性を高める。マスク本体１は、強度又は伸びに方向性を持たず、ほつれることがない不織布を用いると、使い続けても穴８ａの穴サイズが大きくなることはない。また、固定紐３が通る緩めの穴サイズの穴８ａであれば、固定紐３が装着前に紐引掛り部６である穴８ａから抜けない対策として、後述する固定紐３に紐止部４などを設けてもよい。固定紐３が穴８ａを通った後のマスク本体１の外側と接する部分では、固定紐３と顔にマスク本体１が軽く挟まれた状態となっているため、マスク本体１と顔の密着度を下げることはない。穴８ａは複数設けて固定紐３を通してもよい。また、図示はしないが、穴８ａを用いた紐引掛り部６の変形例では、マスク本体１が積層マスクの場合、マスク本体１の上縁側の角部付近の内側のフィルターに穴を設け固定紐３を通し、フィルターとフィルターの間を少し端部方向へ通した先に、内側又は外側のフィルターに穴を設け、その穴から固定紐３を積層マスクの外に出してもよい。さらに、図示はしないが、左右の紐引掛り部６の穴８ａに固定紐３を通した後に、一方の穴８ａを縫合や溶着により閉じて固定紐３を紐引掛り部６に固定してもよい。この場合、固定紐３が固定されている側の装着紐２を耳に掛けて、他方の固定紐３の端を片手で扱っても、固定紐３の中央の位置がずれたりしないのでよい。
【００２８】
図３は、ずれ防止マスク１００の紐引掛り部６の変形例で、マスク本体１の内側から見た右側の紐引掛り部６の６例である。また、右側の紐引掛り部６の６例と対となる左側の紐引掛り部６は、右側の紐引掛り部６の６例とそれぞれ対称にあらわされるため省略する。また、図３は、紐引掛り部６の説明図であり、装着紐２の描画は省略する。図３（ａ）に示すように、マスク本体１の内側の上側の角部付近に、マスク本体１と同素材の不織布片９の上下を溶着１４ａで取付け、マスク本体１と不織布片９の間に紐が通る隙間を設け固定紐３を通したものである。左側の紐引掛り部６も右側と同様である。また、図３（ｂ）に示すように、マスク本体１の内側の上側の角部付近に、マスク本体１と同素材の不織布片９を折って輪にし輪の下側端を溶着１４ａで取付け、不織布片９の輪に固定紐３を通したものである。左側の紐引掛り部６も右側と同様である。不織布片９をマスク本体１に取付けるその他の方法としては、例えば、縫合、両面接着テープ、接着剤等が考えられる。さらに、図３（ｃ）に示すように、マスク本体１の内側の上側の角部に、角部の形に合わせて三角形のクッションシート材２７を、両面接着体２８の両面接着テープで取付け、マスク本体１とクッションシート材２７の間に隙間を設け固定紐３を通したものである。クッションシート材２７に穴を設けその穴の中に固定紐３を通してもよい。クッションシート材２７は、マスク本体１の中央に近い辺になるほど薄くなっている。左側の紐引掛り部６も右側と同様である。クッションシート材２７は、柔軟性と反発性を持つもので、顔とマスク本体１の間にフィットすることができ、粉塵を遮断できるものである。素材として、例えば、ポリエチレン発泡体、ウレタン発泡体、天然ゴム発泡体、合成ゴム発泡体等が挙げられる。クッションシート材２７は、マスク本体１の上縁の一部に取付けることになるが、鼻とマスク本体１の間から呼気が漏れる又は粉塵が侵入することを防止するために、マスク本体１の鼻周辺の上縁部に取付けるものではなく、マスク本体１の上側の角部付近が、固定紐３に引っ掛かることでマスク本体１の動きを止めるために、マスク本体１の上側の両角部に取付けるものである。クッションシート材２７をマスク本体１に取付けるその他の方法としては、例えば、縫合、溶着、接着剤等が考えられる。上側の角部付近に不織布片９やクッションシート材２７を取付けたが、マスク本体１に取付けて固定紐３に引っ掛かることができるものであればいいので、素材や形を限定するものではない。また、図３（ｄ）に示すように、マスク本体１の上縁側の角部付近に、固定紐３を通すことができる穴８ａを２つ設けたものである。穴８ａは、上下方向又は斜め上下方向に複数配置してもよく、穴８ａは1つ又は２つ以上あればよい。１つの穴８ａに固定紐３を通し固定紐３に引っ掛かる状態にし、他に複数の穴８ａがある場合は、マスク本体１の上下方向の取付け位置調整として用いることができ穴８ａの数は限定しない。左側の紐引掛り部６も右側と同様である。さらに、図３（ｅ）に示すように、マスク本体１の内側の上側の角部付近に、固定紐３を通すことが可能な隙間ができるように、上下方向又は斜め上下方向にマスク本体��と同じ素材のポリプロピレンの糸１３ａを溶着１４ａで取付け隙間を連設した。隙間は1つ又は２つ以上あればよく、１つの隙間に固定紐３を通し固定紐３に引っ掛かる状態にし、他に複数の隙間がある場合は、マスク本体１の上下方向の取付け位置調整として用いることができ隙間の数は限定しない。左側の紐引掛り部６も右側と同様である。さらにまた、図３（ｆ）に示すように、マスク本体１の内側の上側の角部の側縁部に、固定紐３を通すことが可能な隙間ができるように、上下方向にポリプロピレンの糸１３ａを溶着１４ａで取付け隙間を連設した。隙間は1つ又は２つ以上あればよく、１つの隙間に固定紐３を通し固定紐３に引っ掛かる状態にし、他に複数の隙間がある場合は、マスク本体１の上下方向の取付け位置調整として用いることができ隙間の数は限定しない。左側の紐引掛り部６も右側と同様である。図３（ｅ）、図３（ｆ）の糸１３ａは、マスク本体１に溶着、縫合等で取付けることができる。糸１３ａは固定紐３に引っ掛かることができる隙間を設けることができればよく、特に素材を限定するものではない。
【００２９】
プリーツマスク９０は、上下方向に広がることが可能なプリーツが形成されたマスク本体１と、マスク本体１を顔に装着できるようにマスク本体１の左右の側端縁部に装着紐２を備えたものであればよい。マスク本体１の左右各端部では、溶着又は縫合されているために、装着しマスク本体１を上下方向に広げた際に、マスク本体１の左右方向中央付近は上下方向に広がるが、左右各端部は広がらない。マスク本体１は、口と鼻を覆い、花粉や粉塵などの微粒子の侵入を抑制、ウィルスや菌などの侵入や飛散を抑制、唾液の飛散を抑制できるプリーツ加工がされたマスク本体１である。一般的なプリーツマスクに用いられている公知の素材を用いることができる。プリーツ加工が容易な不織布では、ポリエステル繊維、ポリプロピレン繊維、ポリエチレン繊維、レーヨン繊維、ナイロン繊維などがあるが、これらの素材を制限されるものではない。マスク本体１の口と鼻を覆う通気性の有るシートは、１枚シート又は複数シート（積層構造）で、１種又は２種以上の素材を用いても良い。ずれ防止マスク１００のマスク本体１にはポリプロピレン不織布シートを用いた一例である。装着紐２は、プリーツマスク９０を顔に装着でき、装着者の耳部や頭部に柔軟に接触して痛みを与えるおそれがないものがよく、弾性的に伸縮可能なものでは、ポリウレタン繊維、熱可塑性エラストマーなどの素材があり、そのカバーリング素材としてポリエステル繊維、ナイロン繊維などがあるが、これらの素材を限定されるものではない。ずれ防止マスク１００の装着紐２は、ポリウレタン繊維とポリエステル繊維を用いた一例である。通常の公知のプリーツマスクを用いて、紐引掛り部６と固定紐３を有することで、顔に動きがあっても、固定紐３に引っ掛かった紐引掛り部６は動くことが無いため、プリーツマスク９０のずれを十分に防止することができ、ずれ防止マスク１００となる。溶着１４ｇでは、マスク本体１の左右の側端縁部に装着紐２をそれぞれ溶着で取付けた。装着紐２は、マスク本体１の内側、外側又はシート間（積層構造の場合）に左右の側端縁部にそれぞれ取付けてもよい。その他に、例えば、縫合、接着剤などの公知の方法で取り付けることができる。不織布マスクの溶着１４ｇでは、装着紐２の端側のマスク本体１と接合する部分に複数の穴又は隙間を設け、マスク本体１と同素材の不織布とマスク本体１で装着紐２の接合部分を覆い挟み、不織布とマスク本体１を装着紐２の穴又は隙間を埋め繋がるように溶着する方法もある。
【００３０】
ずれ防止マスク１００の装着紐２は、耳掛け以外に、図示はしないが、マスク本体１の左右方向中央付近が上下方向に広がることが可能なプリーツが形成されたサージカルマスクのような、首の後ろと後頭部の２箇所にそれぞれ結ぶ紐タイプを用いても、ずれ防止マスク１００は、顔に動きが有っても、固定紐３に引っ掛かった紐引掛り部６は動くことが無いため、マスク本体１の上部はずれることはない。また、図示はしないが、装着紐２が耳掛け用で、耳に掛けずに耳下を通し首後ろで固定する使用方法であっても、固定紐３と紐引掛り部６を有することで、上下方向に広がることが可能なプリーツが形成されたマスク本体１の上部はずれることはない。
【００３１】
ずれ防止マスク１００の固定紐３を頭部に結んで取付ける方法以外に、図４（ａ）に示すように、左右の固定紐３を工業用プラスチック製又は金属製の筒３０に通し、左右の固定紐３の一方又は両方を引張って筒３０に固定紐３を固定してもよい。筒３０は、固定紐３が通る時に少しきつめにするとよい。筒３０の断面が、円形以外に多角形でもよい。また、図４（ｂ）に示すように、工業用プラスチック製又は金属製の引掛止具３１に、左右の固定紐３を引っ掛けて固定する方法で、引掛止具３１は、側部から固定紐３を誘導し通すことができる切り欠き３２ａを設け、さらに、切り欠き３２ａに奥側が狭くなった切り欠き３２ｂを左右に設け、左右の固定紐３をそれぞれ切り欠き３２ｂの奥側に通し引っ掛けて固定紐３を固定する。装着紐２は、耳掛け以外に、引掛止具３１の左右の端にそれぞれ引掛け、プリーツマスク９０を顔に装着してもよい。さらに、図示はしないが、コードストッパーを用いて固定紐３を固定してもよい。コードストッパーとは、紐を通す穴を備えた筒状の外筒と、外筒にスライドが可能に取付けることができる紐を通す穴を備えた内筒と、外筒と内筒の間に配設されたバネ等の弾性手段とを有し、外筒と内筒の穴にそれぞれ通した固定紐３が、弾性手段の弾性復元力によって、外筒と内筒との間に挟まれ止まるものである。固定紐３を頭部に取付け固定する方法は、頭部を圧迫せず、ずれなく、外れなく取付けることができればいいので、これらの取付け方法に限定されるものではない。筒３０、引掛止具３１、コードストッパーなどの固定紐３を取付ける取付具１１を用い、固定紐３を固定した場合、皮膚に食い込むことなく締める力の微調整が容易となる。結び難い固定紐３であっても、取付具１１を用いることで、固定紐３を頭部に取付けることができる。
【００３２】
ずれ防止マスク１００の固定紐３は、装着前に紐引掛り部６から抜けない対策として、図１の紐止部４のように、固定紐３を紐引掛り部６に通した後に結ぶ目を設けるとよい。また、図５に示すように、紐止部４の変形例として、固定紐３を紐引掛り部６に通した後に、紐止部４として工業用プラスチック製の紐止フィルム３３に２つの穴８ｂを設け、その２つの穴８ｂに固定紐３を通したものでもよい。
【００３３】
ずれ防止マスク１００に、マスク本体１の上縁部の中央に、アルミニウムやポリエチレン樹脂などの顔面に合わせて屈曲させ屈曲状態を維持することが可能なノーズピース５を設け、鼻上部とマスク本体１の密着度を上げるとよい。
【００３４】
ずれ防止マスク１００の固定紐３は、紐引掛り部６の穴８ａに通しやすいように、固定紐３の両端にプラスチックや金属で覆うアグレットを設けたり、溶融する固定紐３であれば両端を溶かし細く固めてもよい。
【００３５】
ずれ防止マスク１００は、装着したマスク本体１の端からマスク本体１と顔の隙間に手を入れて、鼻の下の付け根に固定紐３を掛けることは容易であるが、手を隙間に入れずに、固定紐３を鼻の下の付け根に誘導する方法として、図６では、マスク本体１の中央付近に、誘導部１０を設けたものである。誘導部１０としては、糸１３ｂをマスク本体１の内側にある固定紐３に掛ける又は通し、マスク本体１の中央付近の外側に通して輪にしたものである。誘導操作としては、ずれ防止マスク１００は装着紐２を使って顔に装着し、固定紐３の両端を頭部の後ろで軽く持った状態で、マスク本体１の外側にある糸１３ｂを摘み、鼻の下の付け根の位置まで固定紐３を誘導し、その後、固定紐３を頭部の後ろで結ぶ。（固定紐３を結んだ後、糸１３ｂを切ってもよい）糸１３ｂには、綿糸を用いたが、固定紐３を誘導するだけなので、公知の糸でよい。また、図７では、誘導部１０の変形例として、固定紐３とマスク本体１を溶着することが可能な場合、紐取付部１２として固定紐３の表面の一部とマスク本体１の内側の中央付近の面を引張ったら外れる程度に溶着１４ｂで取付けたものである。誘導操作として、ずれ防止マスク１００は装着紐２を使って顔に装着し、固定紐３の両端を頭部の後ろで軽く持った状態で、溶着１４ｂの反対面のマスク本体１の外側の中央を摘み、鼻の下の付け根の位置まで固定紐３を誘導し、マスク本体１の外側を軽く引張って、固定紐３とマスク本体１の溶着１４ｂを切り、固定紐３を頭部の後ろで結ぶ。マスク本体１の外側を摘みやすくするために、手で摘むことができる程度の大きさの不織布片９を取付けてもよい。不織布片９は、マスク本体１と同じ不織布を用い溶着し取付けるとよい。なお、図６、図７は、誘導部１０の説明であり装着紐２及びノーズピース５の描画を省略する。
【００３６】
（実施形態２）
本発明の実施形態２に係るずれ防止マスクは、本発明の実施形態１に係るずれ防止マスクの固定紐の中央部を、前フレームにすることで、前フレームを持って、前フレームの中央を鼻の下の付け根の位置に誘導することが容易となったものである。以下に、本発明の実施形態２に係るずれ防止マスクについて、図８〜図９を参照しながら詳細に説明する。
【００３７】
図８は、本発明の実施形態２に係るずれ防止マスクを顔に装着した図、図９は、本発明の実施形態２に係るずれ防止マスクの固定紐と前フレームの変形例の説明図である。なお、実施形態２では、実施形態１で記載されたものと同一部分については同一符号を付し、その詳細な説明は省略する。
【００３８】
実施形態２に係るずれ防止マスク２００は、図８に示すように、実施形態１に係るずれ防止マスク１００において、固定紐３の中央部を、略Ｕ字状からなる棒の前フレーム１５にしたものである。棒の前フレーム１５は左右の紐引掛り部６である穴８ａに通す。棒の前フレーム１５の両端は、耳の上の耳付け根の手前までとどき、その先は固定紐３を左右それぞれに取付け繋げたものである。棒の前フレーム１５を穴８ａに通すことで、棒の前フレーム１５に穴８ａが引っ掛かる。
【００３９】
ずれ防止マスク２００を、顔に装着する場合は、装着紐２を左右の耳にそれぞれ掛けてマスク本体１を顔に取付け、棒の前フレーム１５の中央部を鼻の下の付け根に下から上に掛け、棒の前フレーム１５に取付けられた固定紐３は、左右の耳の上の耳付け根の上を通り、頭部の後ろで結んで頭部に取付ける。装着紐２と前フレーム１５に取付けられた固定紐３の取付け順は特にない。
【００４０】
ずれ防止マスク２００の棒の前フレーム１５は、中央を鼻の下の付け根に下から上に掛け、棒の前フレーム１５に取付け繋がった固定紐３は、左右の耳の上の耳付け根に上から下に掛けた状態で、頭部の後ろで結んで頭部に取付け固定されるため、ずれ防止マスク１００の固定紐３と同じで、顎又は首を動かしても、ほとんど動かない位置に固定することができる。
【００４１】
ずれ防止マスク２００は、頭部に取付け固定された棒の前フレーム１５を、穴８ａに通すことで、穴８ａが棒の前フレーム１５に引っ掛かった状態で固定され、穴８ａは上下方向に動くことができない。そのため、穴８ａを設けたマスク本体１の上部は、ずれ防止マスク１００の上部と同様に、ずれることなく装着当初の位置を維持することができる。また、マスク本体１の下部は、マスク本体１がプリーツ加工なので、ずれ防止マスク１００の下部と同様に、顎に合わせて上下運動をすることができ、顎が上に戻れば、装着当初の元の位置に戻り、マスク本体１がずれることはない。
【００４２】
ずれ防止マスク２００の紐引掛り部６である穴８ａは、棒の前フレーム１５を通すと抵抗がある穴サイズにすると、使用前から棒の前フレーム１５が自然に抜け難くなると共に穴との隙間が無くなり気密性を高める。また、棒の前フレーム１５が通る緩めの穴サイズの穴８ａであれば、固定紐３が装着前に紐引掛り部６の穴８ａから抜けない対策として、ずれ防止マスク１００と同様の紐止部４などを設けてもよい。棒の前フレーム１５が穴８ａを通った後のマスク本体１の外側と接する部分では、棒の前フレーム１５と顔にマスク本体１が軽く挟まれた状態となっているため、マスク本体１と顔の密着度を下げることはない。
【００４３】
ずれ防止マスク２００の棒の前フレーム１５は、顔の側面の位置にある棒の前フレーム１５の両側を持って、棒の前フレーム１５の中央を鼻の下の付け根に誘導することが可能となる、たわみが無い又はたわみが大きく発生しない程度の弾性力があればよい。具体的には、例えば、一般的な工業用プラスチックが考えられ、ポリエチレン樹脂、ポリプロピレン樹脂、ＡＢＳ樹脂、ＥＶＡ樹脂、ポリスチレン樹脂、ポリアミド樹脂、ナイロン樹脂等が挙げられる。但し、断面形状によって弾性特性が変化するため、これらの素材に限定されることなく、形状等に応じて適宜選択すればよい。ずれ防止マスク２００の棒の前フレーム１５は、ポリプロピレン樹脂の棒を用いた。前フレーム１５は、マスク本体１の内側を通りマスク本体１の覆い部よりも小さく、顔面に沿って取付けるので、マスク本体１のドーム型は潰れたり更に膨らんだりすることはない。
【００４４】
ずれ防止マスク２００の固定紐３には、皮膚に食い込むことなく、結びやすく、解きやすいポリプロピレン繊維からなる平紐を用い、前フレームと固定紐の繋ぎ部１９では、固定紐３と棒の前フレーム１５を溶着１４ｃで取付けた。その他の取付け方法としては、図示はしないが、前フレーム１５の両端に固定紐３が通る穴を設け、その穴に固定紐３を通し固定紐３を結んだり、穴に固定紐３を巻いて縫合したり、穴に固定紐３を巻いて溶着又は接着したりして繋いで取付けてもよい。また、前フレーム１５の両端と固定紐３をプラスチックや金属によるアグレットで繋いだりしてもよい。前フレーム１５と固定紐３が確実に取り付けられればいいので、これらの取付け方法に限定されるものではない。
【００４５】
また、図９に示すように、実施形態２に係るずれ防止マスク２００の棒の前フレーム１５の変形例として、管の前フレーム１５に固定紐３を中に通し、管の前フレーム１５は固定紐３の中央部に位置し、管の前フレーム１５を鼻の下の付け根に下から上に掛け、固定紐３の両端を頭部の後ろで結んで固定するものである。管の前フレーム１５の両端は、それぞれ紐引掛り部６の穴８ａを通って、耳の上の耳付け根の手前までとどく。固定紐３と管の前フレーム１５の関係は、固定紐３が管の前フレーム１５の中を通り可動できるもの以外に、図示はしないが、管の前フレーム１５の中を可動する固定紐３を前フレーム１５の端で閉じることで止めたもの、又は固定紐３を管の前フレーム１５の中に通さず前フレーム１５の端に固定紐３を取付けたものでもよい。管の前フレーム１５は、顔の側面に位置する管の前フレーム１５の両側を持って、管の前フレーム１５の中央を鼻の下の付け根に誘導することができる、たわみが無い又はたわみが大きく発生しない程度の弾性力があればよい。具体的には、一般的な工業用プラスチックやゴムが考えられ、例えば、ポリエチレン樹脂、ナイロン樹脂、ポリプロピレン樹脂、ポリ塩化ビニール樹脂、シリコンゴム等の管が挙げられる。但し、断面形状によって弾性特性が変化するため、これらの素材に限定されることなく、形状等に応じて適宜選択すればよい。
【００４６】
棒又は管の前フレーム１５は、顔の側面の位置にある左右の前フレーム１５を持って、鼻の下の付け根に誘導する方法以外に、紐引掛り部６の穴８ａまでとどかない長さの前フレーム１５を用いた場合は、マスク本体１の外側の上から前フレーム１５の中央を持って誘導することが可能である。
【００４７】
（実施形態３）
本発明の実施形態３に係るずれ防止マスクは、本発明の実施形態１に係るずれ防止マスクの固定紐を、固定フレームにすることで、固定フレームを顔に取付ける操作を容易にしたものである。以下に、本発明の実施形態３に係るずれ防止マスクについて、図１０〜図１３を参照しながら詳細に説明する。
【００４８】
図１０は、本発明の実施形態３に係るずれ防止マスクを顔に装着した図、図１１は、本発明の実施形態３に係るずれ防止マスクの変形例を顔に装着した図、図１２は、本発明の実施形態３に係るずれ防止マスクの変形例を顔に装着した図、図１３は、本発明の実施形態３に係るずれ防止マスクの固定フレームの説明図である。なお、実施形態３では、実施形態１で記載されたものと同一部分については同一符号を付し、その詳細な説明は省略する。
【００４９】
実施形態３に係るずれ防止マスク３００は、図１０に示すように、実施形態１に係るずれ防止マスク１００において、固定紐３に代えて、略Ｕ字状の棒又は管（棒を空洞にし軽量化したもの）の固定フレーム１７を用いたものである。図１３に示すように、固定フレーム１７の両端には、耳に掛けることが可能な湾曲した耳掛け部１８を設けている。固定フレーム１７は、マスク本体１の内側を通り、マスク本体１の左右の紐引掛り部６である穴８ａに通しマスク本体１の外側に出したものである。固定フレーム１７を穴８ａに通すことで、固定フレーム１７に穴８ａが引っ掛かる。
【００５０】
ずれ防止マスク３００を、顔に装着する場合は、装着紐２を左右の耳にそれぞれ掛けてマスク本体１を顔に取付け、固定フレーム１７の中央部を鼻背に掛け、固定フレーム１７の耳掛け部１８を左右の耳に掛けて取付ける。装着紐２と固定フレーム１７の取付け順は特にない。
【００５１】
ずれ防止マスク３００の固定フレーム１７は、中央部を鼻背に掛け、耳掛け部１８を耳に掛けて頭部に取付ける。そのため、顎又は首を動かしても、ほとんど動かない位置に取付けることができる。固定フレーム１７は、顔の側部に接触し弾性特性によって顔を軽く挟持すると、更に取付安定性が増すのでよい。マスク本体１の内側を通る固定フレーム１７は、マスク本体１の覆い部よりも小さく、顔の輪郭近くを通る固定フレーム１７なので、マスク本体１のドーム型は潰れたり更に膨らんだりすることはない。固定フレーム１７は、左右の頬骨付近を通る部分は下側に少し湾曲することで、マスク本体１の上縁部から離れ、マスク本体１の上縁部と顔の間に隙間ができないようにする。
【００５２】
ずれ防止マスク３００は、頭部に安定した状態で取付けている固定フレーム１７を、穴８ａに通すことで、穴８ａが固定フレーム１７に引っ掛かった状態で固定され、穴８ａは下方向に動くことができない。そのため、穴８ａを設けたマスク本体１の上部は、下にずれることなく装着当初の位置を維持することができる。また、マスク本体１の下部は、マスク本体１がプリーツ加工なので、ずれ防止マスク１００の下部と同様に、顎に合わせて上下運動をすることができ、顎が上に戻れば、装着当初の元の位置に戻り、マスク本体１がずれることはない。
【００５３】
ずれ防止マスク３００の紐引掛り部６である穴８ａは、固定フレーム１７を通すと抵抗がある穴サイズにすると、使用前から固定フレーム１７が自然に抜け難くなると共に穴との隙間が無くなり気密性を高める。固定フレーム１７が穴８ａを通った後のマスク本体１の外側と接触する部分では、固定フレーム１７と顔にマスク本体１が軽く挟まれた状態となっているため、マスク本体１と顔の密着度を下げることはない。
【００５４】
固定フレーム１７は、顔の側面に位置する固定フレーム１７の両側を持って、固定フレーム１７の中央を鼻背に誘導することが可能となる、たわみが無い又はたわみが大きく発生しないための弾性力と、顔を軽く挟持する弾性力があればよい。具体的には、例えば、一般的な工業用プラスチックが考えられ、ポリエチレン樹脂、ポリプロピレン樹脂、ＡＢＳ樹脂、ＥＶＡ樹脂、ポリスチレン樹脂、ポリアミド樹脂、ナイロン樹脂、アセテート樹脂等が挙げられる。また、アルミニウムや鉄などの金属が挙げられる。金属は、樹脂をコーテングしたものでもよい。但し、断面形状によって弾性特性が変化するため、これらの素材に限定されることなく、形状等に応じて適宜選択すればよい。固定フレーム１７は、鼻背に接触する中央部に、鼻に掛けた時に安定するように、鼻パッドを設けてもよい。
【００５５】
実施形態３に係るずれ防止マスク３０１は、図１１に示すように、実施形態３に係るずれ防止マスク３００に対して、固定フレーム１７が、マスク本体１の外側を通り、マスク本体１の左右の紐引掛り部６の穴８ａに通してマスク本体１の内側に出したものである。固定フレーム１７を穴８ａに通すことで、固定フレーム１７に穴８ａが引っ掛かる。
【００５６】
ずれ防止マスク３０１を、顔に装着する場合は、装着紐２を左右の耳にそれぞれ掛けてマスク本体１を顔に取付け、固定フレーム１７の中央部をマスク本体１の外側から鼻背に掛け、固定フレーム１７の耳掛け部１８を左右の耳に掛けて取付ける。
【００５７】
ずれ防止マスク３０１の固定フレーム１７は、ずれ防止マスク３００の固定フレーム１７と同様に、顎又は首を動かしても、ほとんど動かない位置に取付けることができる。また、ずれ防止マスク３０１の固定フレーム１７は、顔の側部の位置でマスク本体１と接触し弾性特性によって顔を軽く挟む。マスク本体１の外側を通る固定フレーム１７は、マスク本体１の中央部の膨らみのある位置を通らずマスク本体１の上部を通る固定フレーム１７であるため、マスク本体１のドーム型はほとんど潰れることはない。
【００５８】
ずれ防止マスク３０１は、ずれ防止マスク３００と同様に、穴８ａが固定フレーム１７に引っ掛かった状態で固定されているので、マスク本体１は装着当初の位置を維持しずれることはない。
【００５９】
ずれ防止マスク３０１は、固定フレーム１７が穴８ａを通る前のマスク本体１の外側と接触する部分では、固定フレーム１７と顔にマスク本体１が軽く挟まれた状態となっているため、マスク本体１と顔の密着度を下げることはない。
【００６０】
ずれ防止マスク３０１では、図３（ａ）、図３（ｂ）、図３（ｅ）又は図３（ｆ）の紐引掛り部６を、マスク本体１の外側に左右それぞれ設け、固定フレーム１７を通してもよい。
【００６１】
実施形態３に係るずれ防止マスク３０２は、図１２に示すように、実施形態３に係るずれ防止マスク３０１の紐引掛り部６の変形例である。紐引掛り部６の穴８ａに代えて、マスク本体１の外側の上縁側の角部付近に、工業用プラスチック製又は金属製からなるフック２６を設け、固定フレーム１７に引っ掛かるように取付けたものである。
【００６２】
ずれ防止マスク３０２を、顔に装着する場合は、装着紐２を左右の耳にそれぞれ掛けてマスク本体１を顔に取付け、固定フレーム１７の中央部をマスク本体１の外側から鼻背に掛け、固定フレーム１７の耳掛け部１８を左右の耳に掛けて取付ける。フック２６は、初めから固定フレーム１７に掛けずに、固定フレーム１７を顔に取付けた後に、固定フレーム１７に掛けてもよい。図１２の例では、フック２６はマスク本体１と同じポリプロピレン樹脂を用い、フック２６をマスク本体１に溶着１４ｄで取付けた。紐引掛り部６のフック２６は、固定フレーム１７に引っ掛かっているので、ずれ防止マスク３０２はずれることはない。
【００６３】
さらに、図示はしないが、ずれ防止マスク３００の固定フレーム１７の中央部を、鼻背の位置からずれ防止マスク１００の固定紐３のように鼻の下の付け根に通る位置を変えても、マスク本体１の上部は上下にずれることはなく効果は同じである。この場合、中央部から耳付近までの固定フレーム１７は、ずれ防止マスク１００の固定紐３と同じ位置付近を通ることができる。
【００６４】
（実施形態４）
本発明の実施形態４に係るずれ防止マスクは、本発明の実施形態１に係るずれ防止マスクのマスク本体の中央部分に引掛け部を備え、固定紐を取付けることで、引掛け部をマスク本体の外側から摘んで、鼻尖又は外鼻孔の取付け位置に誘導することができる。以下に、本発明の実施形態４に係るずれ防止マスクについて、図１４〜図１５を参照しながら詳細に説明する。
【００６５】
図１４は、本発明の実施形態４に係るずれ防止マスクを顔に接する側から見た斜視図、図１５は、本発明の実施形態４に係るずれ防止マスクの変形例を顔に接する側から見た斜視図である。なお、実施形態４では、実施形態１で記載されたものと同一部分については同一符号を付し、その詳細な説明は省略する。
【００６６】
実施形態４に係るずれ防止マスク４００は、図１４に示すように、実施形態１に係るずれ防止マスク１００において、マスク本体１の内側上縁よりの中央部分に、引掛け部２０であるリング２１を取付けた。リング２１の取付は、リング２１の上部に、マスク本体１と同じ不織布からなる取付片２３を挟み、取付片２３とマスク本体１を溶着１４ｆにより取付けた。リング２１の両側部は、固定紐３の中央を切断しそれぞれ左右に巻き、縫合し取付けた。リング２１は、鼻尖に嵌め、鼻尖の下に引っ掛けることが可能な環状のもので、リング２１が鼻尖に更に引っ掛けることができるように、リング２１は鼻尖の周辺の形状に合わせて屈曲するものが好ましい。リング２１としては、例えば、ポリエチレン樹脂、ポリプロピレン樹脂等が挙げられる。また、金属が考えられ、アルミニウムなどが挙げられる。鼻尖の下に引っ掛けることができればいいので、これらの素材に限定されるものではない。
【００６７】
リング２１をマスク本体１に取付けるその他の方法としては、図示はしないが、例えば、リング２１とマスク本体１が溶着できる場合は直接溶着、リング２１とマスク本体１とを接着剤で接着、リング２１に取付片２３を巻き、取付片２３とマスク本体１を縫合などが考えられる。また、固定紐３を引掛け部２０に取付けるその他の方法としては、図示はしないが、例えば、リング２１と固定紐３が溶着できる場合は直接溶着、固定紐３のみ溶着できる場合はリング２１に固定紐３を巻いて溶着、リング２１に固定紐３を巻いて接着剤で接着などが考えられる。
【００６８】
ずれ防止マスク４００を、顔に装着する場合は、装着紐２を左右の耳にそれぞれ掛けてマスク本体１を顔に取付け、引掛け部２０のリング２１を鼻尖に通して鼻尖に合わせて屈曲させて嵌める。リング２１に取付けた固定紐３は、左右の耳の上の耳付け根の上を通り、頭部の後ろで結んで頭部に取付ける。装着紐２とリング２１に取付けられた固定紐３の取付け順は特にない。
【００６９】
ずれ防止マスク４００のリング２１は、リング２１が鼻尖に下から上に引っ掛け、リング２１に取付けられた固定紐３は、左右の耳の上の耳付け根に上から下に掛けた状態で、頭部の後ろで結んで頭部に取付け固定されているので、ずれ防止マスク１００の固定紐３と同様に、ほとんど動かない位置に安定した状態で取付けることができる。そのため、マスク本体１は、装着当初の位置を維持することができ、マスク本体１がずれることはない。また、取付片２３を設けずマスク本体１にリング２１を取付けなくてもマスク本体１がずれることはない。
【００７０】
ずれ防止マスク４００の固定紐３は、引掛け部２０を通り、顔面に沿って取付けるので、マスク本体１のドーム型は潰れたり更に膨らんだりすることはない。
【００７１】
実施形態４に係るずれ防止マスク４０１は、実施形態４に係るずれ防止マスク４００の引掛け部２０の変形例で、図１５に示すように、引掛け部２０にフック引掛具２２を用いたものである。フック引掛具２２は、鼻尖に通す四角の枠に、外鼻孔に引っ掛けることができるフックを備えており、鼻下に引っ掛けるようになっている。フック引掛具２２の取付は、フック引掛具２２の上部に、マスク本体１と同じ不織布からなる取付片２３を挟み、取付片２３とマスク本体１とを溶着１４ｆにより取付けた。フック引掛具２２の両側部は、固定紐３の中央を切断しそれぞれ左右に巻き、縫合し取付けた。フック引掛具２２としては、例えば、一般的な工業用プラスチックなどが考えられ、ポリエチレン樹脂、ポリプロピレン樹脂、ＡＢＳ樹脂、ＥＶＡ樹脂、ポリスチレン樹脂、アセテート樹脂等が挙げられる。外鼻孔に引っ掛け形状を維持すればいいので、これらの素材に限定されるものではない。
【００７２】
フック引掛具２２をマスク本体１に取付けるその他の方法としては、実施形態４に係るずれ防止マスク４００と同様の方法が考えられる。
【００７３】
ずれ防止マスク４０１を、顔に装着する場合は、装着紐２を左右の耳にそれぞれ掛けてマスク本体１を顔に取付け、引掛け部２０のフック引掛具２２のフックを外鼻孔に引っ掛け、フック引掛具２２に取付けた固定紐３は、左右の耳の上の耳付け根の上を通り、固定紐３を、頭部の後ろで結んで頭部に取付ける。取付け順は特にない。
【００７４】
ずれ防止マスク４０１のフック引掛具２２は、フック引掛具２２が鼻下に下から上に引っ掛け、フック引掛具２２に取付けた固定紐３は、左右の耳の上の耳付け根に上から下に掛けた状態で、頭部の後ろで結んで頭部に取付け固定されているので、ずれ防止マスク１００の固定紐３と同様に、ほとんど動かない位置に安定した状態で取付けることができる。そのため、マスク本体１は、装着当初の位置を維持することができ、マスク本体１がずれることはない。
【符号の説明】
【００７５】
１  マスク本体
２  装着紐
３  固定紐
４  紐止部
５  ノーズピース
６  紐引掛り部
７  顔側
８ａ  穴
８ｂ  穴
９  不織布片
１０  誘導部
１１  取付具
１２  紐取付部
１３ａ  糸
１３ｂ  糸
１４ａ  溶着
１４ｂ  溶着
１４ｃ  溶着
１４ｄ  溶着
１４ｆ  溶着
１４ｇ  溶着
１５  前フレーム
１７  固定フレーム
１８  耳掛け部
１９  前フレームと固定紐の繋ぎ部
２０  引掛け部
２１  リング
２２  フック引掛具
２３  取付片
２６  フック
２７  クッションシート材
２８  両面接着体
３０  筒
３１  引掛止具
３２ａ  切り欠き
３２ｂ  切り欠き
３３  紐止フィルム
９０  プリーツマスク
１００  ずれ防止マスク
２００  ずれ防止マスク
３００  ずれ防止マスク
３０１  ずれ防止マスク
３０２  ずれ防止マスク
４００  ずれ防止マスク
４０１  ずれ防止マスク
【手続補正２】
【補正対象書類名】特許請求の範囲
【補正対象項目名】全文
【補正方法】変更
【補正の内容】
【特許請求の範囲】
【請求項１】
上下方向に広がることが可能なプリーツが形成されたマスク本体と、
前記マスク本体を顔に装着できるように前記マスク本体の左右の側端縁部に装着紐を備えたプリーツマスクにおいて、
前記マスク本体の内側を通る固定紐と、
前記マスク本体の上縁側の左右の角部付近に、前記固定紐に引っ掛かる紐引掛り部とを有し、
前記固定紐に左右の前記紐引掛り部が引っ掛かった
ことを特徴とするずれ防止マスク。
【請求項２】
前記固定紐の中央部を略Ｕ字状の棒又は管からなる前フレームにした
ことを特徴とする請求項１記載のずれ防止マスク。
【請求項３】
請求項１記載のずれ防止マスクにおいて、
前記固定紐に代えて、前記マスク本体の内側又は外側を通る略Ｕ字状の棒又は管からなる固定フレームを備え、
前記固定フレームの両端には、耳に掛ける耳掛け部を設け、
前記固定フレームに左右の前記紐引掛り部が引っ掛かった
ことを特徴とするずれ防止マスク。
【請求項４】
前記マスク本体は、内側上縁よりの中央部分に引掛け部を備え、
前記引掛け部は、前記マスク本体を顔に装着した際に、鼻尖付近に引っ掛けて前記マスク本体が上側にずれなくするものであり、
前記引掛け部に、前記固定紐の中央を取付けた
ことを特徴とする請求項１記載のずれ防止マスク。
【請求項５】
前記固定紐を頭部に取付け固定するために取付具を備えた
ことを特徴とする請求項１、２又は４のいずれか１項に記載のずれ防止マスク。
【手続補正３】
【補正対象書類名】図面
【補正対象項目名】図２
【補正方法】変更
【補正の内容】
【図２】
2020084339.tif 000018
【手続補正４】
【補正対象書類名】図面
【補正対象項目名】図３
【補正方法】変更
【補正の内容】
【図３】
2020084339.tif 000019
【手続補正５】
【補正対象書類名】図面
【補正対象項目名】図４
【補正方法】変更
【補正の内容】
【図４】
2020084339.tif 000020
【手続補正６】
【補正対象書類名】図面
【補正対象項目名】図６
【補正方法】変更
【補正の内容】
【図６】
2020084339.tif 000021
【手続補正７】
【補正対象書類名】図面
【補正対象項目名】図８
【補正方法】変更
【補正の内容】
【図８】
2020084339.tif 000022
【手続補正８】
【補正対象書類名】図面
【補正対象項目名】図１０
【補正方法】変更
【補正の内容】
【図１０】
2020084339.tif 000023
【手続補正９】
【補正対象書類名】図面
【補正対象項目名】図１１
【補正方法】変更
【補正の内容】
【図１１】
2020084339.tif 000024
【手続補正１０】
【補正対象書類名】図面
【補正対象項目名】図１２
【補正方法】変更
【補正の内容】
【図１２】
2020084339.tif 000025
【手続補正１１】
【補正対象書類名】図面
【補正対象項目名】図１３
【補正方法】変更
【補正の内容】
【図１３】
2020084339.tif 000026
【手続補正書】
【提出日】令和1年10月21日(2019.10.21)
【手続補正１】
【補正対象書類名】明細書
【補正対象項目名】００１１
【補正方法】変更
【補正の内容】
【００１１】
請求項１記載の発明は、長時間装着し、皮脂や汗が出て滑りやすい状態になった上に、くしゃみやあくびや会話など、顎を大きく動かしたとしても、固定紐がマスク本体の上部のずれを防止し、プリーツ構造と装着紐の引き付けにより、マスク本体の下部は、顎に合わせて上下運動し、口を閉じれば元の状態に戻り、マスク本体がずれること無く、装着当初の取付け位置を維持し続けることができるようになった。そのため、マスク本体の動きに違和感を感じることがなくなり、集中力を低下することもなく作業を続けることができるようになった。
また、請求項１記載の発明の固定紐と装着紐は別々の紐であるため、特許文献１の発明のように、１本の紐を上端と下端に分け、上下の紐の長さや引張力のバランス調整をする必要がないので、マスク本体がずれたり、紐の締め付けの強弱による不快を感じることはない。
請求項１記載の発明の紐引掛り部は、固定紐に引っ掛かっているだけなので固定紐の上を動くことができ、マスク本体の上端部を左右に引張ることは無いため、マスク本体の上端部が左右に伸びて隙間ができることはないので、マスク本体の上端部から口元の加湿が漏れメガネを曇らせることはない。
請求項１記載の発明の固定紐は、マスク本体のずれを防止することができるため、装着紐に、ずれを防ぐための引張力は必要としないので、その分だけ装着紐の引張力を弱くすることができ、装着紐を耳掛けした場合の痛みを軽減することができる。固定紐は、頭部に取付けても、引張力による皮膚に食い込むことは無いので、それによる痛みを感じることは無い。
請求項１記載の発明の用途は、例えば、食品を扱う職場や医療施設で、請求項１記載の発明を装着し、マスク本体のずれがなくなると、ずれを直すために不注意にマスク本体に触ることもなくなり、衛生面でも改善できた。また、ウィルスや菌などに感染している患者に、請求項１記載の発明を用いることで、マスク本体のずれがなくなると、ずれによる違和感がなくなり、マスク本体に触れ接触感染の機会も減るため、マスク本体に付着したウィルスや菌などが、手を通して感染拡散することが少なくなる。さらにまた、マスクを装着し汚れ手作業をする場合においては、作業中にマスクがずれると、手洗い又は手袋を外した後に、マスクのずれを直す必要があったが、請求項１記載の発明を装着することで、マスクがずれることがないため、作業が終了するまでマスクのずれを直す必要性がなく、作業に集中することができる。
【手続補正２】
【補正対象書類名】明細書
【補正対象項目名】００２６
【補正方法】変更
【補正の内容】
【００２６】
ずれ防止マスク１００の固定紐３は、紐の芯材にゴム又はポリウレタン繊維を用い伸縮の大きい特性を持つ紐を使用すると、固定紐３が鼻や耳を通る場所を強く圧迫したり、皮膚に食い込んだり、固定紐３が伸びることによりマスク本体１がずれたりすることがあると、あまり好ましくはない。後述する方法で測定される固定紐３の伸び率が、２０％以下であるのが好ましく、さらに好ましくは１４％以下が良い。固定紐３は、皮膚に食い込むような絞め力は必要なく、圧迫せずに頭部に取付けることが好ましい。固定紐３の素材としては、具体的には、例えば、和紙、綿、麻、絹、リヨセル繊維、レーヨン繊維、キュプラ繊維、ポリノジック繊維、アセテート繊維、トリアセテート繊維、プロミックス繊維、ナイロン繊維、ビニロン繊維、ポリ塩化ビニール繊維、ポリエステル繊維、アクリル繊維、ポリエチレン繊維、ポリプロピレン繊維等が挙げられる。また、固定紐３は、１種又は２種以上の素材からなる紐を用いる。但し、固定紐３の結び目が自然に解けない結び力は、紐の伸縮に加えて、紐の断面形状と紐の表面摩擦力によって結び力が変化するため、これらの素材に限定されることなく、伸縮の大きさと断面形状と表面摩擦力とに応じて適宜選択すればよい。ゴム又はポリウレタン繊維は、結び力を補強したりするために、固定紐３のカバーリング素材として用いてもよい。ずれ防止マスク１００の固定紐３には、皮膚に食い込むことなく頭部に取付けることができ、結びやすく、解きやすい綿の平紐を一例として用いた。固定紐３の結び方の一例では、固定紐３を鼻の下の付け根と左右の耳の上の耳付け根を通り、頭部の後ろで固定紐３の両端を軽く結び、固定紐３の頭部輪側の結び目近くの両側を少し引張った後、結び目をしっかり絞めなおすことで、固定紐３の頭部輪側にゆとりを持たせた状態で固定することができる。
固定紐３の伸び率（長さ方向）は、長さ３００ｍｍの試験片を、２００ｍｍ間隔（Ｌ０）に印を付け、この試験片の一端を上部クランプで上部に固定し、他端を下部クランプでつかみ２００ｇの荷重（下部クランプの重量含む）を加えて垂下し、印間の長さ（Ｌ１）を測定し、この測定した値を用いて次式（１）によって求められる伸び率（％）である。測定は、５回行いその平均を取る。この伸び率測定方法は、長さ３００ｍｍの試験片を、２００ｍｍ間隔（Ｌ０）に印を付け、試験片を２００ｇの荷重を加え引張り、印間の長さ（Ｌ１）を測定し伸び率を求めた方法で、測定方法を限定されるものではない。
伸び率（％）＝（(Ｌ１−Ｌ０)÷Ｌ０）×１００・・・（１）
荷重２００ｇは、ずれ防止マスク１００を装着時に、顎が強く動くことでマスク本体１が下側にずれようとする際に、想定される固定紐３を引張る力である。
【手続補正３】
【補正対象書類名】明細書
【補正対象項目名】００２８
【補正方法】変更
【補正の内容】
【００２８】
図３は、ずれ防止マスク１００の紐引掛り部６の変形例で、マスク本体１の内側から見た右側の紐引掛り部６の６例である。また、右側の紐引掛り部６の６例と対となる左側の紐引掛り部６は、右側の紐引掛り部６の６例とそれぞれ対称にあらわされるため省略する。また、図３は、紐引掛り部６の説明図であり、装着紐２の描画は省略する。図３（ａ）に示すように、マスク本体１の内側の上側の角部付近に、マスク本体１と同素材の不織布片９の上下を溶着１４ａで取付け、マスク本体１と不織布片９の間に紐が通る隙間を設け固定紐３を通したものである。左側の紐引掛り部６も右側と同様である。また、図３（ｂ）に示すように、マスク本体１の内側の上側の角部付近に、マスク本体１と同素材の不織布片９を折って輪にし輪の下側端を溶着１４ａで取付け、不織布片９の輪に固定紐３を通したものである。左側の紐引掛り部６も右側と同様である。不織布片９をマスク本体１に取付けるその他の方法としては、例えば、縫合、両面接着テープ、接着剤等が考えられる。さらに、図３（ｃ）に示すように、マスク本体１の内側の上側の角部に、角部の形に合わせて三角形のクッションシート材２７を、両面接着体２８の両面接着テープで取付け、マスク本体１とクッションシート材２７の間に隙間を設け固定紐３を通したものである。クッションシート材２７に穴を設けその穴の中に固定紐３を通してもよい。クッションシート材２７は、マスク本体１の中央に近い辺になるほど薄くなっている。左側の紐引掛り部６も右側と同様である。クッションシート材２７は、柔軟性と反発性を持つもので、顔とマスク本体１の間にフィットすることができ、粉塵を遮断できるものである。素材として、例えば、ポリエチレン発泡体、ウレタン発泡体、天然ゴム発泡体、合成ゴム発泡体等が挙げられる。クッションシート材２７は、マスク本体１の上縁の一部に取付けることになるが、鼻とマスク本体１の間から呼気が漏れる又は粉塵が侵入することを防止するために、マスク本体１の鼻周辺の上縁部に取付けるものではなく、マスク本体１の上側の角部付近が、固定紐３に引っ掛かることでマスク本体１の動きを止めるために、マスク本体１の上側の両角部に取付けるものである。クッションシート材２７をマスク本体１に取付けるその他の方法としては、例えば、縫合、溶着、接着剤等が考えられる。上側の角部付近に不織布片９やクッションシート材２７を取付けたが、マスク本体１に取付けて固定紐３に引っ掛かることができるものであればいいので、素材や形を限定するものではない。また、図３（ｄ）に示すように、マスク本体１の上縁側の角部付近に、固定紐３を通すことができる穴８ａを２つ設けたものである。穴８ａは、上下方向又は斜め上下方向に複数配置してもよく、穴８ａは1つ又は２つ以上あればよい。１つの穴８ａに固定紐３を通し固定紐３に引っ掛かる状態にし、他に穴８ａがある場合は、マスク本体１の上下方向の取付け位置調整として用いることができ穴８ａの数は限定しない。左側の紐引掛り部６も右側と同様である。さらに、図３（ｅ）に示すように、マスク本体１の内側の上側の角部付近に、固定紐３を通すことが可能な隙間ができるように、上下方向又は斜め上下方向にマスク本体１と同��素材のポリプロピレンの糸１３ａを溶着１４ａで取付け隙間を連設した。隙間は1つ又は２つ以上あればよく、１つの隙間に固定紐３を通し固定紐３に引っ掛かる状態にし、他に隙間がある場合は、マスク本体１の上下方向の取付け位置調整として用いることができ隙間の数は限定しない。左側の紐引掛り部６も右側と同様である。さらにまた、図３（ｆ）に示すように、マスク本体１の内側の上側の角部の側縁部に、固定紐３を通すことが可能な隙間ができるように、上下方向にポリプロピレンの糸１３ａを溶着１４ａで取付け隙間を連設した。隙間は1つ又は２つ以上あればよく、１つの隙間に固定紐３を通し固定紐３に引っ掛かる状態にし、他に隙間がある場合は、マスク本体１の上下方向の取付け位置調整として用いることができ隙間の数は限定しない。左側の紐引掛り部６も右側と同様である。図３（ｅ）、図３（ｆ）の糸１３ａは、マスク本体１に溶着、縫合等で取付けることができる。糸１３ａは固定紐３に引っ掛かることができる隙間を設けることができればよく、特に素材を限定するものではない。
【手続補正書】
【提出日】令和1年11月15日(2019.11.15)
【手続補正１】
【補正対象書類名】明細書
【補正対象項目名】０００６
【補正方法】変更
【補正の内容】
【０００６】
請求項１記載の発明であるずれ防止マスクは、上下方向に広がることが可能なプリーツが形成されたマスク本体と、マスク本体を顔に装着できるようにマスク本体の左右の側端縁部に装着紐を備えたプリーツマスクにおいて、マスク本体の内側を通る固定紐と、マスク本体の上側の左右の角部付近に、固定紐に引っ掛かる紐引掛り部とを有し、固定紐に左右の紐引掛り部が引っ掛かったことを特徴とする。
上記構成の発明において、固定紐は、左側の耳の上の耳付け根、マスク本体の左側の紐引掛り部、鼻の下の付け根、マスク本体の右側の紐引掛り部、右側の耳の上の耳付け根をそれぞれ通り、頭部の後ろで結んで頭部に取付け固定する。固定紐の通る順は逆でも良い。固定紐を、頭部の後ろで取付け固定するその他の例は、後述する実施形態で説明する。装着紐は、左右の耳に掛けてマスク本体を顔に装着する。
請求項１記載の発明の固定紐を頭部に固定する位置は、顎又は首を動かしても、ほとんど動かない位置に取付け固定しており、しかも、鼻の下の付け根に下から上に掛けた状態、耳の上の耳付け根に上から下に掛けた状態なので、ほとんど動かない状態を維持することができる。くしゃみ、あくび、咳、会話等で、大きく顎が動いても、ほとんどずれには影響しない。また、固定紐は、皮脂や汗が出ていても滑ったりずれたりすることはない。頭部に固定された固定紐は、手で上下に動かそうとしても容易に動くものではない。
請求項１記載の発明の左右の紐引掛り部は、頭部に取付けると動くことがない固定紐に引っ掛かっていることで、プリーツ加工のマスク本体の紐引掛り部より上側は、下に動くことができない。そのため、顎又は首を動かしても、マスク本体の上部は、顔に取付けた装着当初の位置を維持することができる。
市販のマスクは、顔に装着し、くしゃみ、あくび、会話等をすると、その顎の動きにマスク本体が引張られてずれてしまうが、請求項１記載の発明は、固定紐が紐引掛り部を下に動かないように固定しているので、マスク本体の上部は下に動くことは無く、マスク本体の下部は、プリーツ加工により顎に合わせて上下するが、口を閉じれば、装着紐がマスク本体の下部を引き付けて元の位置に戻る。
市販のマスクの装着紐の引張力は、装着したマスク本体が顔から離れず落ちない働きをしていたが、請求項１記載の発明の装着紐は、主に顔にマスク本体を引き付けて離れない働きを役目とし、固定紐と紐引掛り部は、主にマスク本体のずれを防止する働きを役目としている。そのため、装着紐にずれを防止するための引張力は必要としないので、その分だけ引張力を弱くすることができ、耳掛けした場合の痛みを軽減することができる。固定紐は、頭部の後ろで結んだ結び目が自然に解けないようにしっかり結ぶことができ、使用後は結び目を解くことができる紐の伸縮があればよく、伸縮が小さい紐又はほとんど伸縮しにくい紐で、頭部に圧迫せずに取付けるので、皮膚に食い込むような引張力は必要としない。
請求項１記載の発明の固定紐は、マスク本体を装着した内側では、顔面に沿って取付けられるので、マスク本体と顔の密着度を下げることはない。また、マスク本体のドーム型は潰れたり更に膨らんだりすることはなく本来の膨らみを維持することができ、請求項１記載の発明の装着による圧迫感を感じることはない。
【手続補正２】
【補正対象書類名】明細書
【補正対象項目名】００２０
【補正方法】変更
【補正の内容】
【００２０】
実施形態１に係るずれ防止マスク１００は、図１に示すように、左右方向中央付近を上下方向に広がることが可能なプリーツが形成された不織布のマスク本体１に、マスク本体１を顔に装着できるように、マスク本体１の左右の側端縁部に耳掛けできる装着紐２を備えたプリーツマスク９０において、マスク本体１の内側を通る固定紐３と、マスク本体１の上側の左右の角部付近に、固定紐３を通す紐引掛り部６として穴８ａを設け、固定紐３を左右の穴８ａに通す。固定紐３を穴８ａに通すことで、固定紐３に穴８ａが引っ掛かる。
【手続補正３】
【補正対象書類名】明細書
【補正対象項目名】００２７
【補正方法】変更
【補正の内容】
【００２７】
ずれ防止マスク１００の紐引掛り部６である穴８ａは、固定紐３を通すと抵抗がある穴サイズにすると、固定紐３が使用前から自然に抜け難くなると共に穴との隙間が無くなり気密性を高める。マスク本体１は、強度又は伸びに方向性を持たず、ほつれることがない不織布を用いると、使い続けても穴８ａの穴サイズが大きくなることはない。また、固定紐３が通る緩めの穴サイズの穴８ａであれば、固定紐３が装着前に紐引掛り部６である穴８ａから抜けない対策として、後述する固定紐３に紐止部４などを設けてもよい。固定紐３が穴８ａを通った後のマスク本体１の外側と接する部分では、固定紐３と顔にマスク本体１が軽く挟まれた状態となっているため、マスク本体１と顔の密着度を下げることはない。穴８ａは複数設けて固定紐３を通してもよい。また、図示はしないが、穴８ａを用いた紐引掛り部６の変形例では、マスク本体１が積層マスクの場合、マスク本体１の上側の角部付近の内側のフィルターに穴を設け固定紐３を通し、フィルターとフィルターの間を少し端部方向へ通した先に、内側又は外側のフィルターに穴を設け、その穴から固定紐３を積層マスクの外に出してもよい。さらに、図示はしないが、左右の紐引掛り部６の穴８ａに固定紐３を通した後に、一方の穴８ａを縫合や溶着により閉じて固定紐３を紐引掛り部６に固定してもよい。この場合、固定紐３が固定されている側の装着紐２を耳に掛けて、他方の固定紐３の端を片手で扱っても、固定紐３の中央の位置がずれたりしないのでよい。
【手続補正４】
【補正対象書類名】明細書
【補正対象項目名】００２８
【補正方法】変更
【補正の内容】
【００２８】
図３は、ずれ防止マスク１００の紐引掛り部６の変形例で、マスク本体１の内側から見た右側の紐引掛り部６の１２例である。また、右側の紐引掛り部６の１２例と対となる左側の紐引掛り部６は、右側の紐引掛り部６の１２例とそれぞれ対称にあらわされるため省略する。また、図３は、紐引掛り部６の説明図であり、装着紐２は省略し、紐引掛り部６を中心にマスク本体１の上側の角部付近を描画する。図３（ａ）に示す例は、マスク本体１の内側の上側の角部付近に、マスク本体１と同素材の不織布片９の上下を溶着１４ａで取付け、マスク本体１と不織布片９の間に紐が通る隙間を設けた紐引掛り部６で、隙間に固定紐３を通し固定紐３に引っ掛かる状態となる。固定紐３に紐引掛り部６が引っ掛かりマスク本体１はずれない。左側の紐引掛り部６も右側と同様である。図３（ｂ）に示す例は、マスク本体１の内側の上側の角部付近に、マスク本体１と同素材の不織布片９を折って輪にし輪の下側端を溶着１４ａで取付けた紐引掛り部６で、不織布片９の輪に固定紐３を通し固定紐３に引っ掛かる状態となる。固定紐３に紐引掛り部６が引っ掛かりマスク本体１はずれない。左側の紐引掛り部６も右側と同様である。図３（ａ）、図３（ｂ）の不織布片９をマスク本体１に取付けるその他の方法としては、例えば、縫合、両面接着テープ、接着剤等が考えられる。図３（ｃ）に示す例は、マスク本体１の内側の上側の角部に、角部の形に合わせて三角形のクッションシート材２７を、両面接着体２８の両面接着テープで取付け、マスク本体１とクッションシート材２７の間に隙間を設けた紐引掛り部６で、隙間に固定紐３を通し固定紐３に引っ掛かる状態となる。固定紐３に紐引掛り部６が引っ掛かりマスク本体１はずれない。クッションシート材２７に穴を設けその穴の中に固定紐３を通してもよい。クッションシート材２７は、マスク本体１の中央に近い辺になるほど薄くなっている。左側の紐引掛り部６も右側と同様である。クッションシート材２７は、柔軟性と反発性を持つもので、顔とマスク本体１の間にフィットすることができ、粉塵を遮断できるものである。素材として、例えば、ポリエチレン発泡体、ウレタン発泡体、天然ゴム発泡体、合成ゴム発泡体等が挙げられる。クッションシート材２７は、マスク本体１の上縁の一部に取付けることになるが、鼻とマスク本体１の間から呼気が漏れる又は粉塵が侵入することを防止するために、マスク本体１の鼻周辺の上縁部に取付けるものではなく、マスク本体１の上側の角部付近が、固定紐３に引っ掛かることでマスク本体１の動きを止めるために、マスク本体１の上側の両角部に取付けるものである。クッションシート材２７をマスク本体１に取付けるその他の方法としては、例えば、縫合、溶着、接着剤等が考えられる。上側の角部付近に不織布片９やクッションシート材２７を取付けたが、マスク本体１に取付けて固定紐３に引っ掛かることができるものであればいいので、素材や形を限定するものではない。図３（ｄ）に示す例は、マスク本体１の上側の角部付近に、固定紐３を通すことができる穴８ａを２つ設けた紐引掛り部６である。穴８ａは、上下方向又は斜め上下方向に複数配置してもよく、穴８ａは1つ又は２つ以上あればよい。１つの穴８��に固定紐３を通し固定紐３に引っ掛かる状態にし、他に穴８ａがある場合は、マスク本体１の上下方向の取付け位置調整として用いることができ、穴８ａの数を限定するものではない。固定紐３に紐引掛り部６が引っ掛かりマスク本体１はずれない。左側の紐引掛り部６も右側と同様である。図３（ｅ）に示す例は、マスク本体１の内側の上側の角部付近に、固定紐３を通すことが可能な隙間ができるように、上下方向（斜め上下方向にしてもよい）にマスク本体１と同じ素材のポリプロピレンの糸１３ａを溶着１４ａで取付け隙間を４つ連設した紐引掛り部６である。隙間は1つ又は２つ以上あればよく、１つの隙間に固定紐３を通し固定紐３に引っ掛かる状態にし、他に隙間がある場合は、マスク本体１の上下方向の取付け位置調整として用いることができ、隙間の数を限定するものではない。固定紐３に紐引掛り部６が引っ掛かりマスク本体１はずれない。左側の紐引掛り部６も右側と同様である。図３（ｆ）に示す例は、マスク本体１の内側の上側の角部付近の側縁部に、固定紐３を通すことが可能な隙間ができるように、上下方向にポリプロピレンの糸１３ａを溶着１４ａで取付け隙間を４つ連設した紐引掛り部６である。隙間は1つ又は２つ以上あればよく、１つの隙間に固定紐３を通し固定紐３に引っ掛かる状態にし、他に隙間がある場合は、マスク本体１の上下方向の取付け位置調整として用いることができ、隙間の数を限定するものではない。固定紐３に紐引掛り部６が引っ掛かりマスク本体１はずれない。左側の紐引掛り部６も右側と同様である。図３（ｅ）、図３（ｆ）の糸１３ａは、マスク本体１に溶着、縫合等で取付けることができる。糸１３ａは固定紐３に引っ掛かることができる隙間を設けることができればよく、特に素材を限定するものではない。図３（ｇ）に示す例は、マスク本体１の上側の角部の側縁部に近い位置に、固定紐３を通すことができる穴８ａを５つ設けた紐引掛り部６である。穴８ａは、上下方向に複数配置してもよく、穴８ａは1つ又は２つ以上あればよい。１つの穴８ａに固定紐３を通し固定紐３に引っ掛かる状態にし、他に穴８ａがある場合は、マスク本体１の上下方向の取付け位置調整として用いることができ、穴８ａの数を限定するものではない。固定紐３に紐引掛り部６が引っ掛かりマスク本体１はずれない。左側の紐引掛り部６も右側と同様である。図３（ｈ）に示す例は、図３（ｇ）の穴８ａをさらに側端に近づけた紐引掛り部６である。左側の紐引掛り部６も右側と同様である。図３（ｉ）に示す例は、マスク本体１の上側の角部の側縁部に、固定紐３を通す穴を持つメッシュシート２４にしたもので、メッシュシート２４の複数の穴を紐引掛り部６とする。メッシュシート２４の穴に固定紐３を通し固定紐３に引っ掛かる状態となる。マスク本体１にメッシュシート２４を取り付ける方法としては、溶着又は縫合等があるが、特に限定するものではない。固定紐３に紐引掛り部６（メッシュシート２４の穴）が引っ掛かりマスク本体１はずれない。左側の紐引掛り部６も右側と同様である。図３（ｊ）に示す例は、マスク本体１の上から下までの側縁部に、固定紐３を通す穴を持つメッシュシート２４にしたもので、マスク本体１の上側の角部付近のメッシュシ��ト２４の複数の穴を紐引掛り部６とする。メッシュシート２４の穴に固定紐３を通し固定紐３に引っ掛かる状態となる。マスク本体１にメッシュシート２４を取り付ける方法としては、溶着又は縫合等があるが、特に限定するものではない。固定紐３に紐引掛り部６（メッシュシート２４の穴）が引っ掛かりマスク本体１はずれない。左側の紐引掛り部６も右側と同様である。図３（ｋ）に示す例は、マスク本体１の上側の角部に、固定紐３を通す穴を持つ四角形のメッシュシート２４にしたもので、メッシュシート２４の複数の穴を紐引掛り部６とする。メッシュシート２４の穴に固定紐３を通し固定紐３に引っ掛かる状態となる。マスク本体１にメッシュシート２４を取り付ける方法としては、溶着又は縫合等があるが、特に限定するものではない。固定紐３に紐引掛り部６（メッシュシート２４の穴）が引っ掛かりマスク本体１はずれない。マスク本体１の上側の角部が引っ掛かることができればいいので、メッシュシート２４の形状は特に限定しない。左側の紐引掛り部６も右側と同様である。図３（ｌ）に示す例は、マスク本体１の内側上側の角部に、メッシュシート２４を取り付けた紐引掛り部６である。メッシュシート２４の穴に固定紐３を通し固定紐３に引っ掛かる状態となる。マスク本体１の上側の角部が引っ掛かることができればいいので、メッシュシート２４の形状は特に限定しない。マスク本体１にメッシュシート２４を取り付ける方法としては、溶着又は縫合等があるが、特に限定するものではない。マスク本体１にメッシュシート２４の縁を取り付け固定するが、メッシュシート２４の下側縁とマスク本体１の中央側にある縁は固定するが、上側縁は固定してもしなくてもよい。固定紐３に紐引掛り部６（メッシュシート２４の穴）が引っ掛かりマスク本体１はずれない。左側の紐引掛り部６も右側と同様である。図３（ｉ）、図３（ｊ）、図３（ｋ）、図３（ｌ）のメッシュシート２４は、熱融着性を有する繊維からなる糸で、経糸及び緯糸の交絡点は熱融着により一体化されたもので、メッシュシート２４の複数の穴は固定紐３を通すことができる。穴の形、大きさは特には限定しない。メッシュシート２４の素材は特に限定しないが、マスク本体１と同じ素材を用いるとマスク本体１に熱接着が容易なのでよい。ずれ防止マスク１００のメッシュシート２４では、マスク本体１と同じポリプロピレンを用いた例である。メッシュシート２４は、複数の穴があるので、穴の上下左右位置を利用してマスク本体１の上下方向の取付け位置調整として用いることができる。メッシュシート２４を用いた場合、マスク本体１のフィルター部、メッシュシート２４又はフィルター部とメッシュシート２４の境に、装着紐２を取り付けてもよい。また、図３（ｉ）、図３（ｊ）のメッシュシート２４に代えて図示はしないが、固定紐３を通すことができる穴を設けたエジングレースにしてもよい。固定紐３を通すエジングレースの穴は、マスク本体１の上側の角部付近の穴を紐引掛り部６とする。エジングレースの穴に固定紐３を通し固定紐３に引っ掛かる状態となる。マスク本体１にエジングレースを取り付ける方法としては、溶着又は縫合等があるが、特に限定するものではない。固定紐３に紐引掛り部��（エジングレースの穴）が引っ掛かりマスク本体１はずれない。エジングレースは、固定紐３を通すことができる穴があればいいので、素材は特に限定しない。
【手続補正５】
【補正対象書類名】明細書
【補正対象項目名】００２９
【補正方法】変更
【補正の内容】
【００２９】
プリーツマスク９０は、上下方向に広がることが可能なプリーツが形成されたマスク本体１と、マスク本体１を顔に装着できるようにマスク本体１の左右の側端縁部に装着紐２を備えたものであればよい。マスク本体１の左右の各側端部では、溶着又は縫合されているために、装着しマスク本体１を上下方向に広げた際に、マスク本体１の左右方向中央付近は上下方向に広がるが、左右の各側端部は広がらない。マスク本体１は、口と鼻を覆い、花粉や粉塵などの微粒子の侵入を抑制、ウィルスや菌などの侵入や飛散を抑制、唾液の飛散を抑制できるプリーツ加工がされたマスク本体１である。一般的なプリーツマスクに用いられている公知の素材を用いることができる。プリーツ加工が容易な不織布では、ポリエステル繊維、ポリプロピレン繊維、ポリエチレン繊維、レーヨン繊維、ナイロン繊維などがあるが、これらの素材を制限されるものではない。マスク本体１の口と鼻を覆う通気性の有るシートは、１枚シート又は複数シート（積層構造）で、１種又は２種以上の素材を用いても良い。ずれ防止マスク１００のマスク本体１にはポリプロピレン不織布シートを用いた一例である。装着紐２は、プリーツマスク９０を顔に装着でき、装着者の耳部や頭部に柔軟に接触して痛みを与えるおそれがないものがよく、装着紐２の素材としては、ウレタン繊維、ナイロン繊維、ポリエステル繊維、ポリプロピレン繊維等からなる織布、不織布又は編紐が挙げられるが、その他に公知の素材を用いることができる。そのカバーリング素材としてポリエステル繊維、ナイロン繊維なども用いることができるが、これらの素材を限定されるものではない。ずれ防止マスク１００の装着紐２は、ウレタン繊維とポリエステル繊維を用いた一例である。通常の公知のプリーツマスクを用いて、紐引掛り部６と固定紐３を有することで、顔に動きがあっても、固定紐３に引っ掛かった紐引掛り部６は動くことが無いため、プリーツマスク９０のずれを十分に防止することができ、ずれ防止マスク１００となる。溶着１４ｇでは、マスク本体１の左右の側端縁部に装着紐２をそれぞれ溶着で取付けた。装着紐２は、マスク本体１の内側、外側又はシート間（積層構造の場合）に左右の側端縁部にそれぞれ取付けてもよい。その他に、例えば、縫合、接着剤などの公知の方法で取り付けることができる。不織布マスクの溶着１４ｇでは、装着紐２の端側のマスク本体１と接合する部分に複数の穴又は隙間を設け、マスク本体１と同素材の不織布とマスク本体１で装着紐２の接合部分を覆い挟み、不織布とマスク本体１を装着紐２の穴又は隙間を埋め繋がるように溶着する方法もある。
【手続補正６】
【補正対象書類名】明細書
【補正対象項目名】００３１
【補正方法】変更
【補正の内容】
【００３１】
ずれ防止マスク１００の固定紐３を頭部に結んで取付ける方法以外に、図４（ａ）に示すように、左右の固定紐３を工業用プラスチック製又は金属製の筒３０に通し、左右の固定紐３の一方又は両方を引張って筒３０に固定紐３を固定してもよい。筒３０は、固定紐３が通る時に少しきつめにするとよい。筒３０の断面が、円形以外に多角形でもよい。また、図４（ｂ）に示すように、工業用プラスチック製又は金属製の引掛止具３１に、左右の固定紐３を引っ掛けて固定する方法で、引掛止具３１は、側部から固定紐３を誘導し通すことができる切り欠き３２ａを設け、さらに、切り欠き３２ａに奥側が狭くなった切り欠き３２ｂを左右に設けたもので、左右の固定紐３をそれぞれ切り欠き３２ｂの奥側に通し引っ掛けて固定紐３を固定する。装着紐２は、耳掛け以外に、引掛止具３１の左右の端にそれぞれ引掛け、プリーツマスク９０を顔に装着してもよい。さらに、図示はしないが、コードストッパーを用いて固定紐３を固定してもよい。コードストッパーとは、紐を通す穴を備えた筒状の外筒と、外筒にスライドが可能に取付けることができる紐を通す穴を備えた内筒と、外筒と内筒の間に配設されたバネ等の弾性手段とを有したもので、外筒と内筒の穴にそれぞれ通した固定紐３が、弾性手段の弾性復元力によって、外筒と内筒との間に挟まれ動きが止まり固定される。固定紐３を頭部に取付け固定する方法は、頭部を圧迫せず、ずれなく、外れなく取付けることができればいいので、これらの取付け方法に限定されるものではない。筒３０、引掛止具３１、コードストッパーなどの固定紐３を取付ける取付具１１を用い、固定紐３を固定した場合、皮膚に食い込むことなく締める力の微調整が容易となる。結び難い固定紐３であっても、取付具１１を用いることで、固定紐３を頭部に取付けることができる。
【手続補正７】
【補正対象書類名】明細書
【補正対象項目名】００３２
【補正方法】変更
【補正の内容】
【００３２】
ずれ防止マスク１００の固定紐３は、装着前に紐引掛り部６から抜けない対策として、図１の紐止部４のように、固定紐３を紐引掛り部６に通した後に結ぶ目を設けるとよい。また、図５に示すように、紐止部４の変形例として、工業用プラスチック製のフィルムに２つの穴８ｂを設けた紐止フィルム３３で、固定紐３を紐引掛り部６に通した後に、２つの穴８ｂに固定紐３を通し紐引掛り部６から固定紐３が抜け難いようにようにした。
【手続補正８】
【補正対象書類名】明細書
【補正対象項目名】００４５
【補正方法】変更
【補正の内容】
【００４５】
また、図９に示すように、実施形態２に係るずれ防止マスク２００の棒の前フレーム１５の変形例として、棒に代えて菅にしたもので、管の前フレーム１５に固定紐３を中に通し、管の前フレーム１５は固定紐３の中央部に位置し、管の前フレーム１５を鼻の下の付け根に下から上に掛け、固定紐３の両端を頭部の後ろで結び固定する。管の前フレーム１５の両端は、それぞれ紐引掛り部６の穴８ａを通って、耳の上の耳付け根の手前までとどく。固定紐３と管の前フレーム１５の関係は、固定紐３が管の前フレーム１５の中を通り可動できるもの以外に、図示はしないが、管の前フレーム１５の中を可動する固定紐３を前フレーム１５の端で閉じることで止めたもの、又は固定紐３を管の前フレーム１５の中に通さず前フレーム１５の端に固定紐３を取付けたものでもよい。管の前フレーム１５は、顔の側面に位置する管の前フレーム１５の両側を持って、管の前フレーム１５の中央を鼻の下の付け根に誘導することができる、たわみが無い又はたわみが大きく発生しない程度の弾性力があればよい。具体的には、一般的な工業用プラスチックやゴムが考えられ、例えば、ポリエチレン樹脂、ナイロン樹脂、ポリプロピレン樹脂、ポリ塩化ビニール樹脂、シリコンゴム等の管が挙げられる。但し、断面形状によって弾性特性が変化するため、これらの素材に限定されることなく、形状等に応じて適宜選択すればよい。
【手続補正９】
【補正対象書類名】明細書
【補正対象項目名】００６１
【補正方法】変更
【補正の内容】
【００６１】
実施形態３に係るずれ防止マスク３０２は、図１２に示すように、実施形態３に係るずれ防止マスク３０１の紐引掛り部６の変形例である。紐引掛り部６の穴８ａに代えて、マスク本体１の外側の上側の角部付近に、工業用プラスチック製又は金属製からなるフック状のフック２６を設けた。固定フレーム１７にフック２６が引っ掛かるようにして用いる。
【手続補正１０】
【補正対象書類名】明細書
【補正対象項目名】００７５
【補正方法】変更
【補正の内容】
【００７５】
１  マスク本体
２  装着紐
３  固定紐
４  紐止部
５  ノーズピース
６  紐引掛り部
７  顔側
８ａ  穴
８ｂ  穴
９  不織布片
１０  誘導部
１１  取付具
１２  紐取付部
１３ａ  糸
１３ｂ  糸
１４ａ  溶着
１４ｂ  溶着
１４ｃ  溶着
１４ｄ  溶着
１４ｆ  溶着
１４ｇ  溶着
１５  前フレーム
１７  固定フレーム
１８  耳掛け部
１９  前フレームと固定紐の繋ぎ部
２０  引掛け部
２１  リング
２２  フック引掛具
２３  取付片
２４  メッシュシート
２６  フック
２７  クッションシート材
２８  両面接着体
３０  筒
３１  引掛止具
３２ａ  切り欠き
３２ｂ  切り欠き
３３  紐止フィルム
９０  プリーツマスク
１００  ずれ防止マスク
２００  ずれ防止マスク
３００  ずれ防止マスク
３０１  ずれ防止マスク
３０２  ずれ防止マスク
４００  ずれ防止マスク
４０１  ずれ防止マスク
【手続補正１１】
【補正対象書類名】特許請求の範囲
【補正対象項目名】請求項１
【補正方法】変更
【補正の内容】
【請求項１】
上下方向に広がることが可能なプリーツが形成されたマスク本体と、
前記マスク本体を顔に装着できるように前記マスク本体の左右の側端縁部に装着紐を備えたプリーツマスクにおいて、
前記マスク本体の内側を通る固定紐と、
前記マスク本体の上側の左右の角部付近に、前記固定紐に引っ掛かる紐引掛り部とを有し、
前記固定紐に左右の前記紐引掛り部が引っ掛かった
ことを特徴とするずれ防止マスク。
【手続補正１３】
【補正対象書類名】図面
【補正対象項目名】図３
【補正方法】変更
【補正の内容】
【図３】
2020084339.tif 000027